(57)【要約】      （修正有）【課題】現物競り落とし型のオークションにおいて、時計（競売商品）を出品した出品者の買取希望価格と時計を落札した落札者の落札価格との差額の中で行われる売買交渉を仲介する売買交渉仲介システムを提供する。【解決手段】売買交渉仲介システム１０において売買交渉仲介サーバ１４は、時計（競売商品）の落札価格をインターネット１３を介して出品者のスマートフォン１１ａに送信しつつ、スマートフォン１１ａを利用して出品者に落札価格承認、落札者への交渉終了、落札者へ第１回目交渉開始のいずれかの選択肢を選択させ、出品者が落札者への第１回目交渉開始を選択した場合、スマートフォン１１ａから受信した時計の第１買取希望価格をインターネット１３を介してスマートフォン１１ｃに送信しつつ、スマートフォン１１ｃを利用して落札者に第１買取希望価格承認、出品者への交渉終了、出品者へ第１回目交渉開始のいずれかの選択肢を選択させる。【選択図】図１
2019219950.tif 000002
【特許請求の範囲】
【請求項１】
オークション会場において行われるオークションに競売商品を出品した出品者の買取希望価格と前記オークションにおける競りによって前記競売商品を落札した落札者の落札価格との差額の中で行われる売買交渉を仲介する売買交渉仲介システムにおいて、
前記売買交渉仲介システムが、前記出品者の出品者通信端末と、前記落札者の落札者通信端末と、前記出品者通信端末および前記落札者通信端末に所定のネットワークを介して接続可能な売買交渉仲介サーバとから形成され、
前記売買交渉仲介サーバが、前記競売商品の落札価格を前記ネットワークを介して前記出品者通信端末に送信しつつ、該出品者通信端末を利用して前記出品者に落札価格承認、前記落札者への交渉終了、前記落札者へ第１回目交渉開始のいずれかの選択肢を選択させる出品者第１選択要求手段と、前記出品者第１選択要求手段において前記出品者が落札者への第１回目交渉開始を選択した場合、前記出品者通信端末から受信した前記競売商品の第１買取希望価格を前記ネットワークを介して前記落札者通信端末に送信しつつ、該落札者通信端末を利用して前記落札者に第１買取希望価格承認、前記出品者への交渉終了、前記出品者へ第１回目交渉開始のいずれかの選択肢を選択させる落札者第１選択要求手段とを有することを特徴とする売買交渉仲介システム。
【請求項２】
前記売買交渉仲介サーバが、前記出品者第１選択要求手段において選択された選択肢、前記第１買取希望価格、前記落札者第１選択要求手段において選択された選択肢を前記競売商品を個別に特定する競売商品特定データに関連付けた状態で記憶する売買交渉経過第１記憶手段と、前記出品者第１選択要求手段において選択された選択肢、前記第１買取希望価格、前記落札者第１選択要求手段において選択された選択肢を前記出品者通信端末および前記落札者通信端末に出力する売買交渉経過第１出力手段とを含む請求項１に記載の売買交渉仲介システム。
【請求項３】
前記売買交渉仲介サーバが、前記落札者第１選択要求手段において前記落札者が前記出品者へ第１回目交渉開始を選択した場合、前記落札者通信端末から受信した前記競売商品の第１交渉価格を前記ネットワークを介して前記出品者通信端末に送信しつつ、該出品者通信端末を利用して前記出品者に第１交渉価格承認、前記落札者への交渉終了、前記落札者へ第２回目交渉開始のいずれかの選択肢を選択させる出品者第２選択要求手段と、前記出品者第２選択要求手段において前記出品者が落札者への第２回目交渉開始を選択した場合、前記出品者通信端末から受信した前記競売商品の第２買取希望価格を前記ネットワークを介して前記落札者通信端末に送信しつつ、該落札者通信端末を利用して前記落札者に第２買取希望価格承認、前記出品者への交渉終了、前記出品者へ第２回目交渉開始のいずれかの選択肢を選択させる落札者第２選択要求手段とを含む請求項１または請求項２に記載の売買交渉仲介システム。
【請求項４】
前記売買交渉仲介サーバが、前記第１交渉価格、前記出品者第２選択要求手段において選択された選択肢、前記第２買取希望価格、前記落札者第２選択要求手段において選択された選択肢を前記競売商品を個別に特定する競売商品特定データに関連付けた状態で記憶する売買交渉経過第２記憶手段と、前記第１交渉価格、前記出品者第２選択要求手段において選択された選択肢、前記第２買取希望価格、前記落札者第２選択要求手段において選択された選択肢を前記出品者通信端末および前記落札者通信端末に出力する売買交渉経過第２出力手段とを含む請求項３に記載の売買交渉仲介システム。
【請求項５】
前記売買交渉仲介サーバが、前記落札者第２選択要求手段において前記落札者が前記出品者へ第２回目交渉開始を選択した場合、前記落札者通信端末から受信した前記競売商品の第２交渉価格を前記ネットワークを介して前記出品者通信端末に送信しつつ、該出品者通信端末を利用して前記出品者に第２交渉価格承認、前記落札者への交渉終了のいずれかの選択肢を選択させる出品者第３選択要求手段を含む請求項３または請求項４に記載の売買交渉仲介システム。
【請求項６】
前記売買交渉仲介サーバが、前記第２交渉価格、前記出品者第３選択要求手段において選択された選択肢を前記競売商品を個別に特定する競売商品特定データに関連付けた状態で記憶する売買交渉経過第３記憶手段と、前記第２交渉価格、前記出品者第３選択要求手段において選択された選択肢を前記出品者通信端末および前記落札者通信端末に出力する売買交渉経過第３出力手段とを含む請求項５に記載の売買交渉仲介システム。
【請求項７】
前記売買交渉仲介サーバが、前記出品者第１選択要求手段〜前記出品者第３選択要求手段における出品者の出品者選択時間を設定する出品者選択時間設定手段と、前記出品者選択時間設定手段によって設定された出品者選択時間内に前記出品者が所定の選択肢を選択しなかった場合、該出品者が前記落札者への交渉終了を選択したものとする出品者交渉終了決定手段と、前記落札者第１選択要求手段〜前記落札者第２選択要求手段における落札者の落札者選択時間を設定する落札者選択時間設定手段と、前記落札者選択時間設定手段によって設定された落札者選択時間内に前記落札者が所定の選択肢を選択しなかった場合、該落札者が前記出品者への交渉終了を選択したものとする落札者交渉終了決定手段とを含む請求項６に記載の売買交渉仲介システム。
【請求項８】
前記売買交渉仲介サーバが、前記出品者第１選択要求手段〜前記出品者第３選択要求手段における選択開始から前記出品者選択時間の終了までの残り時間を前記出品者通信端末に出力する出品者残り時間出力手段と、前記落札者第１選択要求手段〜前記落札者第２選択要求手段における選択開始から前記落札者選択時間の終了までの残り時間を前記落札者通信端末に出力する落札者残り時間出力手段とを含む請求項７に記載の売買交渉仲介システム。
【請求項９】
前記売買交渉仲介サーバが、前記競りにかけられる前のそれら競売商品の各種の商品データをそれら競売商品を個別に特定する競売商品特定データに関連付けた状態で記憶する商品データ記憶手段を含み、前記出品者第１選択要求手段〜前記出品者第３選択要求手段では、それら競売商品の商品データを前記ネットワークを介して前記出品者通信端末に送信し、前記落札者第１選択要求手段〜前記落札者第２選択要求手段では、それら競売商品の商品データを前記ネットワークを介して前記落札者通信端末に送信する請求項１ないし請求項８いずれかに記載の売買交渉仲介システム。
【請求項１０】
前記競売商品の商品データには、前記競売商品の出品者、前記競売商品の商品名、前記競売商品の製造年月日、前記競売商品の製造メーカー、前記競売商品の画像、前記競売商品の入札価格、前記競売商品を落札した落札者、前記競売商品の落札価格が含まれる請求項９に記載の売買交渉仲介システム。
【発明の詳細な説明】
【技術分野】
【０００１】
本発明は、オークション会場において行われるオークションに競売商品を出品した出品者の買取希望価格とオークションにおける競りによって競売商品を落札した落札者の落札価格との差額の中で行われる売買交渉を仲介する売買交渉仲介システムに関する。
【背景技術】
【０００２】
参加者により操作される参加者端末と、オペレータにより操作されるオークション主催者端末と、参加者端末およびオークション主催者端末にネットワークを介して接続されたオークションサーバとから形成され、オークション主催者端末に備えられてオークションをスタートさせるために操作されるオークションスタート操作部と、オークション主催者端末に備えられ、オークションスタート操作部が操作されることによってオークションスタート信号がオークションサーバに送信された後、オークションサーバからオークション主催者端末にあらかじめ入力されたスタート価格から順次増大させた価格を現在価格情報として順次送信されることにより、現在価格が順次更新表示される主催者端末表示部と、参加者端末に備えられ、オークションスタート操作部が操作されることによってオークションスタート信号がオークションサーバに送信された後、オークションサーバから参加者端末にあらかじめ入力されたスタート価格から順次増大させた価格を現在価格情報として順次送信されることにより、現在価格が順次更新表示される参加者端末表示部と、参加者端末に備えられて参加者端末表示部に表示された現在価格で応札させるために操作される参加者応札操作部と、主催者端末表示部および参加者端末表示部は、参加者応札操作部が操作されることによって応札された現在価格である応札価格情報を含む応札信号がオークションサーバに送信された後、オークションサーバからオークション主催者端末および参加者端末に応札価格情報が送信されることによって応札価格以上のあらかじめ定められた応札後現在価格が現在価格として表示され、オークション主催者端末に備えられて参加者応札操作部により応札された応札価格で落札しないときに操作される不落札操作部とを有し、主催者端末表示部および参加者端末表示部は、現在価格に応札後現在価格が表示された状態で不落札操作部が操作されることにより、その後順次増大させた価格を現在価格として順次更新表示され、オークションサーバは、参加者応札操作部により応札操作された後の所定の時間内に不落札操作部が操作された場合、オークション主催者端末および参加者端末表示部に、最後に応札された応札後現在価格を現在価格として表示されるオークションシステムが開示されている（特許文献１参照）。
【先行技術文献】
【特許文献】
【０００３】
【特許文献１】特開２０１６−１９０４４２号公報
【発明の概要】
【発明が解決しようとする課題】
【０００４】
前記特許文献１に開示のオークションシステムは、インターネットを介して接続された参加者端末とオークション主催者端末とオークションサーバとを利用し、参加者およびオークション主催者がインターネット上でオークションを行う。なお、インターネットを介して接続された端末とサーバとを利用して競りを行うネット型のオークションの他に、実際のオークション会場に複数の落札者（バイヤー）が集合し、競りに出された競売商品に対してそれら落札者が相互に値段を競り合い、最も高値を付けた落札者が競り落とす現物競り落とし型のオークションが行われている。
【０００５】
オークション会場において競りが行われる現物競り落とし型のオークションでは、オークションにかけられる競売商品がオークション会場に運ばれ、オークション開催日にオークション会場に複数の落札者（バイヤー）が集合し、競売の進捗をはかる進行係が競売商品の商品番号や商品名等の商品特定詞を発した後、競売人（オークショニア）が競売を司会しつつ競売価格をつり上げて行く。競売商品が競り落とされた後、競売人の声を復唱する復唱係（オーム）が競売商品を落札した落札者特定詞と落札された落札商品の落札価格詞とを発声する。事務係（競売補助者）は、進行係が競売商品の商品特定詞として発声した商品番号や商品名等を用紙やタグに記載し、復唱係（オーム）が落札者特定詞として発声した落札者名および復唱係が落札価格詞として発声した落札価格を用紙やタグ（荷札）に記載する。事務係は、商品番号や商品名等、落札者名、落札価格を記載した用紙やタグを落札された競売商品に添付する。
【０００６】
事務係（競売補助者）は、オークション会場において複数の競売商品が落札された後、落札された競売商品を出品した出品者と競売商品を落札した落札者との間で行われる売買交渉を仲介する。事務係は、競売商品の落札価格をメモしつつ、電話を利用して出品者に落札価格で競売商品を落札者に売却するか否かを問い合わせる。出品者は、落札価格で競売商品をする落札価格承認、売買交渉を終了する交渉終了、落札者と売買交渉をする交渉開始のいずれかを事務係に返答する。
【０００７】
出品者が落札価格承認を選択すると、競売商品が落札価格で落札者に売却される。出品者が交渉終了を選択すると、競売商品の落札者への売却が不成立になる。出品者が売買交渉を選択した場合、出品者は、競売商品の買取希望価格を事務係に伝える。事務係は、買取希望価格をメモしつつ、電話を利用して落札者に競売商品の買取希望価格を伝え、買取希望価格で競売商品を買い取るか否かを落札者に問い合わせる。落札者は、買取希望価格で競売商品を買い取る買取希望価格承認、売買交渉を終了する交渉終了、出品者と売買交渉をする交渉開始のいずれかを事務係に返答する。落札者が買取希望価格承認を選択すると、競売商品が買取希望価格で落札者に売却される。落札者が交渉終了を選択すると、競売商品の落札者への売却が不成立になる。落札者が売買交渉を選択した場合、落札者は、競売商品の交渉価格を事務係に伝える。事務係は、交渉価格をメモしつつ、電話を利用して出品者に競売商品の交渉価格を伝え、交渉価格で競売商品を落札者に売却するか否かを問い合わせる。このように、事務係（競売補助者）が出品者と落札者との間に入り、電話を利用して出品者と落札者との間で行われる売買交渉を仲介する。
【０００８】
現物競り落とし型のオークションにおける電話を利用した売買交渉の仲介は、多数の人手を必要とするのみならず、多大な労力とその労力を実行するために多大な労働時間とを必要とする。また、売買交渉対象の競売商品とそれ以外の競売商品とを取り違える人為的ミスによって売買交渉対象の競売商品とは異なる競売商品に対して売買交渉が行われるミスマッチが発生し、売買交渉対象の競売商品の発見作業、ミスマッチの競売商品の返品作業や返金作業が非常に煩雑となり、競売商品の円滑な売買交渉が妨げられる原因になっている。
【０００９】
本発明の目的は、オークション会場において競りが行われる現物競り落とし型のオークションにおいて、多数の人手や多大な労力、多大な労働時間を必要とせず、競売商品を出品した出品者の買取希望価格と競売商品を落札した落札者の落札価格との差額の中で行われる売買交渉を仲介することができる売買交渉仲介システムを提供することにある。本発明の他の目的は、オークション会場において競りが行われる現物競り落とし型のオークションにおいて、売買交渉対象の競売商品とは異なる競売商品に対して売買交渉が行われるミスマッチの発生を防ぐことができ、売買交渉対象の競売商品の売買交渉を円滑に進めることができる売買交渉仲介システムを提供することにある。
【課題を解決するための手段】
【００１０】
前記課題を解決するための本発明の前提は、オークション会場において行われるオークションに競売商品を出品した出品者の買取希望価格とオークションにおける競りによって競売商品を落札した落札者の落札価格との差額の中で行われる売買交渉を仲介する売買交渉仲介システムである。
【００１１】
前記前提における本発明の売買交渉仲介システムの特徴は、売買交渉仲介システムが、出品者の出品者通信端末と、落札者の落札者通信端末と、出品者通信端末および落札者通信端末に所定のネットワークを介して接続可能な売買交渉仲介サーバとから形成され、売買交渉仲介サーバが、競売商品の落札価格をネットワークを介して出品者通信端末に送信しつつ、出品者通信端末を利用して出品者に落札価格承認、落札者への交渉終了、落札者へ第１回目交渉開始のいずれかの選択肢を選択させる出品者第１選択要求手段と、出品者第１選択要求手段において出品者が落札者への第１回目交渉開始を選択した場合、出品者通信端末から受信した競売商品の第１買取希望価格をネットワークを介して落札者通信端末に送信しつつ、落札者通信端末を利用して落札者に第１買取希望価格承認、出品者への交渉終了、出品者へ第１回目交渉開始のいずれかの選択肢を選択させる落札者第１選択要求手段とを有することにある。
【００１２】
本発明の売買交渉仲介システムの一例としては、売買交渉仲介サーバが、出品者第１選択要求手段において選択された選択肢、第１買取希望価格、落札者第１選択要求手段において選択された選択肢を競売商品を個別に特定する競売商品特定データに関連付けた状態で記憶する売買交渉経過第１記憶手段と、出品者第１選択要求手段において選択された選択肢、第１買取希望価格、落札者第１選択要求手段において選択された選択肢を出品者通信端末および落札者通信端末に出力する売買交渉経過第１出力手段とを含む。
【００１３】
本発明の売買交渉仲介システムの他の一例としては、売買交渉仲介サーバが、落札者第１選択要求手段において落札者が前記出品者へ第１回目交渉開始を選択した場合、落札者通信端末から受信した競売商品の第１交渉価格をネットワークを介して出品者通信端末に送信しつつ、出品者通信端末を利用して出品者に第１交渉価格承認、落札者への交渉終了、落札者へ第２回目交渉開始のいずれかの選択肢を選択させる出品者第２選択要求手段と、出品者第２選択要求手段において出品者が落札者への第２回目交渉開始を選択した場合、出品者通信端末から受信した競売商品の第２買取希望価格をネットワークを介して落札者通信端末に送信しつつ、落札者通信端末を利用して落札者に第２買取希望価格承認、出品者への交渉終了、出品者へ第２回目交渉開始のいずれかの選択肢を選択させる落札者第２選択要求手段とを含む。
【００１４】
本発明の売買交渉仲介システムの他の一例としては、売買交渉仲介サーバが、第１交渉価格、出品者第２選択要求手段において選択された選択肢、第２買取希望価格、落札者第２選択要求手段において選択された選択肢を競売商品を個別に特定する競売商品特定データに関連付けた状態で記憶する売買交渉経過第２記憶手段と、第１交渉価格、出品者第２選択要求手段において選択された選択肢、第２買取希望価格、落札者第２選択要求手段において選択された選択肢を出品者通信端末および落札者通信端末に出力する売買交渉経過第２出力手段とを含む。
【００１５】
本発明の売買交渉仲介システムの他の一例としては、売買交渉仲介サーバが、落札者第２選択要求手段において落札者が前記出品者へ第２回目交渉開始を選択した場合、落札者通信端末から受信した競売商品の第２交渉価格をネットワークを介して出品者通信端末に送信しつつ、出品者通信端末を利用して出品者に第２交渉価格承認、落札者への交渉終了のいずれかの選択肢を選択させる出品者第３選択要求手段を含む。
【００１６】
本発明の売買交渉仲介システムの他の一例としては、売買交渉仲介サーバが、第２交渉価格、出品者第３選択要求手段において選択された選択肢を競売商品を個別に特定する競売商品特定データに関連付けた状態で記憶する売買交渉経過第３記憶手段と、第２交渉価格、出品者第３選択要求手段において選択された選択肢を出品者通信端末および落札者通信端末に出力する売買交渉経過第３出力手段とを含む。
【００１７】
本発明の売買交渉仲介システムの他の一例としては、売買交渉仲介サーバが、出品者第１選択要求手段〜出品者第３選択要求手段における出品者の出品者選択時間を設定する出品者選択時間設定手段と、出品者選択時間設定手段によって設定された出品者選択時間内に出品者が所定の選択肢を選択しなかった場合、出品者が落札者への交渉終了を選択したものとする出品者交渉終了決定手段と、落札者第１選択要求手段〜落札者第２選択要求手段における落札者の落札者選択時間を設定する落札者選択時間設定手段と、落札者選択時間設定手段によって設定された落札者選択時間内に落札者が所定の選択肢を選択しなかった場合、落札者が出品者への交渉終了を選択したものとする落札者交渉終了決定手段とを含む。
【００１８】
本発明の売買交渉仲介システムの他の一例としては、売買交渉仲介サーバが、出品者第１選択要求手段〜出品者第３選択要求手段における選択開始から出品者選択時間の終了までの残り時間を出品者通信端末に出力する出品者残り時間出力手段と、落札者第１選択要求手段〜落札者第２選択要求手段における選択開始から落札者選択時間の終了までの残り時間を落札者通信端末に出力する落札者残り時間出力手段とを含む。
【００１９】
本発明の売買交渉仲介システムの他の一例としては、売買交渉仲介サーバが、競りにかけられる前のそれら競売商品の各種の商品データをそれら競売商品を個別に特定する競売商品特定データに関連付けた状態で記憶する商品データ記憶手段を含み、出品者第１選択要求手段〜出品者第３選択要求手段では、それら競売商品の商品データをネットワークを介して出品者通信端末に送信し、落札者第１選択要求手段〜落札者第２選択要求手段では、それら競売商品の商品データをネットワークを介して落札者通信端末に送信する。
【００２０】
本発明の売買交渉仲介システムの他の一例として、競売商品の商品データには、競売商品の出品者、競売商品の商品名、競売商品の製造年月日、競売商品の製造メーカー、競売商品の画像、競売商品の入札価格、競売商品を落札した落札者、競売商品の落札価格が含まれる。
【発明の効果】
【００２１】
本発明に係る売買交渉仲介システムによれば、売買交渉仲介サーバが競売商品の落札価格をネットワークを介して出品者通信端末に送信しつつ、出品者通信端末を利用して出品者に落札価格承認、落札者への交渉終了、落札者へ第１回目交渉開始のいずれかを選択させ、出品者が落札者への第１回目交渉開始を選択した場合、出品者通信端末から受信した競売商品の第１買取希望価格をネットワークを介して落札者通信端末に送信しつつ、落札者通信端末を利用して落札者に第１買取希望価格承認、出品者への交渉終了、出品者へ第１回目交渉開始のいずれかを選択させるから、事務係（競売補助者）が電話を利用して出品者と落札者との間で行われる売買交渉を仲介する必要はなく、オークション会場において競りが行われる現物競り落とし型のオークションにおいて、多数の人手や多大な労力、多大な労働時間を必要とせず、競売商品を出品した出品者の第１買取希望価格と競売商品を落札した落札者の落札価格との差額の中で行われる売買交渉を仲介することができる。売買交渉仲介システムは、出品者が出品者通信端末を利用して落札価格承認、落札者への交渉終了、落札者へ第１回目交渉開始のいずれかを選択し、落札者が落札者通信端末を利用して第１買取希望価格承認、出品者への交渉終了、出品者へ第１回目交渉開始のいずれかを選択すればよく、出品者や落札者の電話による売買交渉を省くことができ、出品者や落札者の労力を省きつつ、出品者と落札者との間で行われる売買交渉を円滑に仲介することができる。
【００２２】
売買交渉仲介サーバが出品者第１選択要求手段において選択された選択肢、第１買取希望価格、落札者第１選択要求手段において選択された選択肢を競売商品を個別に特定する競売商品特定データに関連付けた状態で記憶し、出品者第１選択要求手段において選択された選択肢、第１買取希望価格、落札者第１選択要求手段において選択された選択肢を出品者通信端末および落札者通信端末に出力する売買交渉仲介システムは、出品者通信端末や落札者通信端末に出力された出品者第１選択要求手段において選択された選択肢、第１買取希望価格、落札者第１選択要求手段において選択された選択肢を出品者や落札者が見ることで、競売商品の売買交渉の経過を確認することができ、事務係（競売補助者）が電話を利用して出品者と落札者とに売買交渉の経過を伝える手間と時間とを省きつつ、出品者と落札者との間で行われる売買交渉を円滑に仲介することができる。売買交渉仲介システムは、出品者第１選択要求手段において選択された選択肢、第１買取希望価格、落札者第１選択要求手段において選択された選択肢が競売商品を個別に特定する競売商品特定データに関連付けられた状態で売買交渉仲介サーバに記憶されているから、オークション会場において競りが行われる現物競り落とし型のオークションにおいて、売買交渉対象の競売商品とは異なる競売商品に対して売買交渉が行われるミスマッチの発生を防ぐことができ、売買交渉対象の競売商品の売買交渉を円滑に進めることができる。
【００２３】
落札者が出品者へ第１回目交渉開始を選択した場合、売買交渉仲介サーバが落札者通信端末から受信した競売商品の第１交渉価格をネットワークを介して出品者通信端末に送信しつつ、出品者通信端末を利用して出品者に第１交渉価格承認、落札者への交渉終了、落札者へ第２回目交渉開始のいずれかを選択させ、出品者が落札者への第２回目交渉開始を選択した場合、出品者通信端末から受信した競売商品の第２買取希望価格をネットワークを介して落札者通信端末に送信しつつ、落札者通信端末を利用して落札者に第２買取希望価格承認、出品者への交渉終了、出品者へ第２回目交渉開始のいずれかを選択させる売買交渉仲介システムは、１度の売買交渉で売買が成立しなかった場合でも、出品者と落札者との間で再度の売買交渉を行うことができ、オークション会場において競りが行われる現物競り落とし型のオークションにおいて競り落とされた多くの競売商品の売買を成立させることができる。売買交渉仲介システムは、事務係（競売補助者）が電話を利用して出品者と落札者との間で行われる再度の売買交渉を仲介する必要はなく、オークション会場において競りが行われる現物競り落とし型のオークションにおいて、多数の人手や多大な労力、多大な労働時間を必要とせず、競売商品を出品した出品者の第１買取希望価格と競売商品を落札した落札者の第１交渉価格との差額の中で行われる売買交渉を仲介することができ、競売商品を落札した落札者の第１交渉価格と競売商品を出品した出品者の第２買取希望価格との差額の中で行われる売買交渉を仲介することができる。売買交渉仲介システムは、出品者が出品者通信端末を利用して第１交渉価格承認、落札者への交渉終了、落札者へ第２回目交渉開始のいずれかを選択し、落札者が落札者通信端末を利用して第２買取希望価格承認、出品者への交渉終了、出品者へ第２回目交渉開始のいずれかを選択すればよく、出品者や落札者の電話による再度の売買交渉を省くことができ、出品者や落札者の労力を省きつつ、出品者と落札者との間で行われる再度の売買交渉を円滑に仲介することができる。
【００２４】
売買交渉仲介サーバが第１交渉価格、出品者第２選択要求手段において選択された選択肢、第２買取希望価格、落札者第２選択要求手段において選択された選択肢を競売商品を個別に特定する競売商品特定データに関連付けた状態で記憶し、第１交渉価格、出品者第２選択要求手段において選択された選択肢、第２買取希望価格、落札者第２選択要求手段において選択された選択肢を出品者通信端末および落札者通信端末に出力する売買交渉仲介システムは、出品者通信端末や落札者通信端末に出力された第１交渉価格、出品者第２選択要求手段において選択された選択肢、第２買取希望価格、落札者第２選択要求手段において選択された選択肢を出品者や落札者が見ることで、競売商品の再度の売買交渉の経過を確認することができ、事務係（競売補助者）が電話を利用して出品者と落札者とに再度の売買交渉の経過を伝える手間と時間とを省きつつ、出品者と落札者との間で行われる再度の売買交渉を円滑に仲介することができる。売買交渉仲介システムは、第１交渉価格、出品者第２選択要求手段において選択された選択肢、第２買取希望価格、落札者第２選択要求手段において選択された選択肢が競売商品を個別に特定する競売商品特定データに関連付けられた状態で売買交渉仲介サーバに記憶されているから、オークション会場において競りが行われる現物競り落とし型のオークションにおいて、売買交渉対象の競売商品とは異なる競売商品に対して再度の売買交渉が行われるミスマッチの発生を防ぐことができ、売買交渉対象の競売商品の再度の売買交渉を円滑に進めることができる。
【００２５】
落札者が出品者へ第２回目交渉開始を選択した場合、売買交渉仲介サーバが落札者通信端末から受信した競売商品の第２交渉価格をネットワークを介して出品者通信端末に送信しつつ、出品者通信端末を利用して出品者に第２交渉価格承認、落札者への交渉終了のいずれかを選択させる売買交渉仲介システムは、２度の売買交渉で売買が成立しなかった場合でも、出品者と落札者との間で再々度の売買交渉を行うことができ、オークション会場において競りが行われる現物競り落とし型のオークションにおいて競り落とされた多くの競売商品の売買を成立させることができる。売買交渉仲介システムは、事務係（競売補助者）が電話を利用して出品者と落札者との間で行われる再々度の売買交渉を仲介する必要はなく、オークション会場において競りが行われる現物競り落とし型のオークションにおいて、多数の人手や多大な労力、多大な労働時間を必要とせず、競売商品を出品した出品者の第２買取希望価格と競売商品を落札した落札者の第２交渉価格との差額の中で行われる売買交渉を仲介することができる。売買交渉仲介システムは、出品者が出品者通信端末を利用して第２交渉価格承認、落札者への交渉終了のいずれかを選択すればよく、出品者や落札者の電話による再々度の売買交渉を省くことができ、出品者や落札者の労力を省きつつ、出品者と落札者との間で行われる再々度の売買交渉を円滑に仲介することができる。
【００２６】
売買交渉仲介サーバが第２交渉価格、出品者第３選択要求手段において選択された選択肢を競売商品を個別に特定する競売商品特定データに関連付けた状態で記憶し、第２交渉価格、出品者第３選択要求手段において選択された選択肢を出品者通信端末および落札者通信端末に出力する売買交渉仲介システムは、出品者通信端末や落札者通信端末に出力された第２交渉価格、出品者第３選択要求手段において選択された選択肢を出品者や落札者が見ることで、競売商品の再々度の売買交渉の経過を確認することができ、事務係（競売補助者）が電話を利用して出品者と落札者とに再々度の売買交渉の経過を伝える手間と時間とを省きつつ、出品者と落札者との間で行われる再々度の売買交渉を円滑に仲介することができる。売買交渉仲介システムは、第２交渉価格、出品者第３選択要求手段において選択された選択肢が競売商品を個別に特定する競売商品特定データに関連付けられた状態で売買交渉仲介サーバに記憶されているから、オークション会場において競りが行われる現物競り落とし型のオークションにおいて、売買交渉対象の競売商品とは異なる競売商品に対して再々度の売買交渉が行われるミスマッチの発生を防ぐことができ、売買交渉対象の競売商品の再々度の売買交渉を円滑に進めることができる。
【００２７】
売買交渉仲介サーバが出品者第１選択要求手段〜出品者第３選択要求手段における出品者の出品者選択時間を設定するとともに、設定された出品者選択時間内に出品者が所定の選択をしなかった場合、出品者が落札者への交渉終了を選択したものとし、落札者第１選択要求手段〜落札者第２選択要求手段における落札者の落札者選択時間を設定するとともに、設定された落札者選択時間内に落札者が所定の選択をしなかった場合、落札者が出品者への交渉終了を選択したものとする売買交渉仲介システムは、出品者第１選択要求手段〜出品者第３選択要求手段における出品者の出品者選択時間を設定し、落札者第１選択要求手段〜落札者第２選択要求手段における落札者の落札者選択時間を設定することで、出品者や落札者に最良な選択肢を選択する時間を与えることができ、出品者や落札者が出品者選択時間や落札者選択時間を利用して最良な選択肢を選択することができる。売買交渉仲介システムは、設定された出品者選択時間内に出品者が所定の選択をしなかった場合、出品者が落札者への交渉終了を選択したものとし、設定された落札者選択時間内に落札者が所定の選択をしなかった場合、落札者が出品者への交渉終了を選択したものとすることで、出品者第１選択要求手段〜出品者第３選択要求手段や落札者第１選択要求手段〜落札者第２選択要求手段において所定の選択肢の選択を促すことができ、出品者と落札者との間で行われる売買交渉を迅速に終了させることができる。
【００２８】
売買交渉仲介サーバが出品者第１選択要求手段〜出品者第３選択要求手段における選択開始から出品者選択時間の終了までの残り時間を出品者通信端末に出力し、落札者第１選択要求手段〜落札者第２選択要求手段における選択開始から落札者選択時間の終了までの残り時間を落札者通信端末に出力する売買交渉仲介システムは、出品者第１選択要求手段〜出品者第３選択要求手段における選択開始から出品者選択時間の終了までの残り時間を出品者通信端末に出力し、落札者第１選択要求手段〜落札者第２選択要求手段における選択開始から落札者選択時間の終了までの残り時間を落札者通信端末に出力することで、出品者第１選択要求手段〜出品者第３選択要求手段や落札者第１選択要求手段〜落札者第２選択要求手段における残り時間を出品者と落札者とに知らせつつ、出品者第１選択要求手段〜出品者第３選択要求手段や落札者第１選択要求手段〜落札者第２選択要求手段において所定の選択肢の選択を促すことができ、出品者と落札者との間で行われる売買交渉を迅速に終了させることができる。
【００２９】
売買交渉仲介サーバが競りにかけられる前のそれら競売商品の各種の商品データをそれら競売商品を個別に特定する競売商品特定データに関連付けた状態で記憶し、出品者第１選択要求手段〜出品者第３選択要求手段において、それら競売商品の商品データをネットワークを介して出品者通信端末に送信し、落札者第１選択要求手段〜落札者第２選択要求手段において、それら競売商品の商品データをネットワークを介して落札者通信端末に送信する売買交渉仲介システムは、出品者第１選択要求手段〜出品者第３選択要求手段や落札者第１選択要求手段〜落札者第２選択要求手段において、それら競売商品の商品データをネットワークを介して出品者通信端末や落札者通信端末に送信することで、出品者や落札者が出品者通信端末や落札者通信端末で競売商品の商品データを確認することができ、商品データを出品者第１選択要求手段〜出品者第３選択要求手段や落札者第１選択要求手段〜落札者第２選択要求手段における選択肢の選択の判断材料にすることができる。
【００３０】
競売商品の出品者、競売商品の商品名、競売商品の製造年月日、競売商品の製造メーカー、競売商品の画像、競売商品の入札価格、競売商品を落札した落札者、競売商品の落札価格が競売商品の商品データに含まれる売買交渉仲介システムは、出品者第１選択要求手段〜出品者第３選択要求手段や落札者第１選択要求手段〜落札者第２選択要求手段において、それら競売商品の出品者や商品名、製造年月日、製造メーカー、画像、入札価格、落札者、落札価格をネットワークを介して出品者通信端末や落札者通信端末に送信することで、出品者や落札者が出品者通信端末や落札者通信端末で競売商品の出品者や商品名、製造年月日、製造メーカー、画像、入札価格、落札者、落札価格を確認することができ、それら競売商品の出品者や商品名、製造年月日、製造メーカー、画像、入札価格、落札者、落札価格を出品者第１選択要求手段〜出品者第３選択要求手段や落札者第１選択要求手段〜落札者第２選択要求手段における選択肢の選択の判断材料にすることができる。
【図面の簡単な説明】
【００３１】
【図１】一例として示す売買交渉仲介システムの構成図。
【図２】オークション会場におけるオークション（競り）の一例を示す図。
【図３】オークション会場において競り（オークション）にかけられる時計（競売商品）の一例を示す図。
【図４】時計（競売商品）に取り付けられたタグの一例を示す図。
【図５】チェックボックスの一例を示す図。
【図６】オークション会場において競り（オークション）にかけられる時計（競売商品）を収容するエントリーボックスの一例を示す図。
【図７】エントリー手続き後の時計（競売商品）を収容するエントリーボックスの一例を示す図。
【図８】タグに貼付されるラベルシール（ラベル）の一例を示す図。
【図９】競り落とされた時計（競売商品）を収容する郵送箱（検品ボックス）の一例を示す図。
【図１０】データ入力装置のディスプレイに出力（表示）された売買交渉第１経過画面の一例を示す図。
【図１１】出品者のスマートフォンのタッチパネルに出力（表示）された出品者第１交渉画面の一例を示す図。
【図１２】落札者のスマートフォンのタッチパネルに出力（表示）された落札者第１交渉画面の一例を示す図。
【図１３】データ入力装置のディスプレイに出力（表示）された売買交渉第２経過画面の一例を示す図。
【図１４】出品者のスマートフォンのタッチパネルに出力（表示）された出品者第２交渉画面の一例を示す図。
【図１５】落札者のスマートフォンのタッチパネルに出力（表示）された落札者第２交渉画面の一例を示す図。
【図１６】データ入力装置のディスプレイに出力（表示）された売買交渉第３経過画面の一例を示す図。
【図１７】出品者のスマートフォンに出力（表示）された出品者第３交渉画面の一例を示す図。
【図１８】落札者のスマートフォンに出力（表示）された落札者第３交渉画面の一例を示す図。
【発明を実施するための形態】
【００３２】
一例として示す売買交渉仲介システム１０の構成図である図１等の添付の図面を参照し、本発明に係る売買交渉仲介システムの詳細を説明すると、以下のとおりである。なお、図２は、オークション会場２１におけるオークション（競り）の一例を示す図であり、図３は、オークション会場２１において競り（オークション）にかけられる時計２３（競売商品）の一例を示す図である。図４は、時計２３（競売商品）に取り付けられたタグ１６の一例を示す図であり、図５は、チェックボックス１９の一例を示す図である。図５では、チェックボックス１９の頂部開口２９が開放された状態で示す。
【００３３】
図１では、４台のスマートフォン１１ａ〜１１ｄ（出品者通信端末、落札者通信端末）および４台のタブレット１２ａ〜１２ｄ（出品者通信端末、落札者通信端末）、１台の売買交渉仲介サーバ、１台のデータ入力装置１５（パソコン）を図示しているが、実際にはインターネット１３（ネットワーク）を介して接続される各種複数のサーバが存在するとともに、インターネット１３を介して各サーバへアクセス可能な各種複数のスマートフォンや各種複数のタブレットが存在する。なお、出品者通信端末や落札者通信端末には、パソコンや携帯情報端末（ＰＤＡ）も含まれ、さらに、今後開発されるインターネット１３に接続可能な全ての通信端末が含まれる。また、インターネット１３の他に、それらスマートフォン１１ａ〜１１ｃやそれらタブレット１２ａ〜１２ｃとサーバとがＬＡＮやＷＡＮ等の他のネットワークによって接続される場合も含まれる。
【００３４】
オークションに出品された競売商品として時計２３を図示しているが、オークションに出品される競売商品に特に制限はなく、競り（オークション）にかけられる各種複数のあらゆる商品（バッグや被服、宝石、玩具、絵画等）が売買交渉仲介システム１０を利用した競り（オークション）の対象になる。売買交渉仲介システム１０は、所定のオークションに出品されてオークション会場２１において競りかけられる時計２３（競売商品）を管理しつつ、競りによって落札された時計２３（競売商品）の出品者（図示せず）と落札者２４との間における売買を仲介する。オークションは、オークション開催者（競売開催者）が開催する。
【００３５】
競売開催者には、図２に示すように、競売の進捗をはかる進行係２５、競売を司会する競売人２６（オークショニア）、競売人２６（オークショニア）の声を復唱する復唱係２７（オーム）、事務係（競売補助者）（図示せず）が存在する。オークションでは、所定のオークション開催日時にオークション会場２１に複数の落札者２４（バイヤー）が集合し、競りに出された時計２３（競売商品）に対してそれら落札者２４が相互に値段を競り合い、最も高値を付けた落札者２４が時計２３（競売商品）を競り落とす。競りの後、競り落とされた時計２３に対して出品者と落札者２４との間で売買交渉が行われる。
【００３６】
売買交渉仲介システム１０は、出品者が操作するスマートフォン１１ａ，１１ｂまたはタブレット１２ａ，１２ｂ（出品者通信端末）と、落札者が操作するスマートフォン１１ｃ，１１ｄまたはタブレット１２ｃ，１２ｄ（落札者通信端末）と、スマートフォン１１ａ〜１１ｄやタブレット１２ａ〜１２ｄにインターネット１３（他のネットワークを含む）を介して接続可能な売買交渉仲介サーバ１４と、所定のデータを売買交渉仲介サーバ１４に入力するデータ入力装置１５（パソコン）と、複数枚のタグ１６（荷札）と、ＩＣタグリーダ１７およびＩＣタグリーダ／ライタ１８と、チェックボックス１９（検品ボックス）およびラベルプリンター２０とから形成されている。売買交渉仲介システム１０は、システム１０を提供（管理運営）するオークション開催者（事業法人）が管理する売買交渉仲介サーバ１４に構築されている。
【００３７】
スマートフォン１１ａ〜１１ｄやタブレット１２ａ〜１２ｄは、それぞれ機種が異なるとともにそれを提供するキャリア（メーカー）が異なる。スマートフォン１１ａ〜１１ｄやタブレット１２ａ〜１２ｄは、中央処理部（ＣＰＵまたはＭＰＵ）とメモリ（メインメモリおよびキャッシュメモリ）とを有して独立したオペレーティングシステム（ＯＳ）によって動作する物理的なコンピュータを内蔵し、大容量記憶領域を実装している。スマートフォン１１ａ〜１１ｄやタブレット１２ａ〜１２ｄは、カメラ機能によって被写体をデジタル画像データ（静止画または動画）として撮影（取得）し、撮影した被写体の画像データを大容量記憶領域に記憶することができる。
【００３８】
スマートフォン１１ａ〜１１ｄやタブレット１２ａ〜１２ｄのメインメモリには、売買交渉仲介システム１０の各手段を実行するアプリケーションが格納されている。アプリケーションは、売買交渉仲介サーバ１４に直接アクセスし、または、リンクを介して他のサーバから売買交渉仲介サーバ１４にアクセスした後、売買交渉仲介サーバ１４からダウンロードする。スマートフォン１１ａ〜１１ｄやタブレット１２ａ〜１２ｄのメインメモリには、ウェブブラウザおよび電子メールの送受信や電子メールの管理を行う電子メールクライアントが格納されている。
【００３９】
スマートフォン１１ａ〜１１ｄやタブレット１２ａ〜１２ｄは、ウェブブラウザを利用してインターネット１３に接続可能であり、インターネット１３を利用して不特定多数の他のサーバ（物理サーバや仮想サーバ）にアクセスかつログインすることができるとともに、インターネット１３において各種検索エンジンを利用することができる。スマートフォン１１ａ〜１１ｄやタブレット１２ａ〜１２ｄは、売買交渉仲介サーバ１４のＵＲＬを使用してサーバ１４にアクセスかつログインすることができるとともに、インターネット１３を利用して各種情報（文字データや画像データ）を売買交渉仲介サーバ１４を含む他の複数の外部サーバに提供することができ、インターネット１３を利用して各種情報を売買交渉仲介サーバ１４を含む他の複数の外部サーバから受け取ることができる。
【００４０】
スマートフォン１１ａ〜１１ｄやタブレット１２ａ〜１２ｄの大容量記憶領域には、それらを特定する携帯端末特定情報（携帯端末特定識別子）が格納されている。携帯端末特定情報としては、スマートフォン１１ａ〜１１ｄやタブレット１２ａ〜１２ｄのＩＰアドレスやＭＡＣアドレス、ＵＲＬ、メールアドレス、Ｃｏｏｋｉｅ情報、固体識別番号等を利用することができる他、スマートフォン１１ａ〜１１ｄやタブレット１２ａ〜１２ｄがそれらを識別するユニークな識別子を独自に生成し、生成した識別子を携帯端末特定情報とすることができる。スマートフォン１１ａ〜１１ｄやタブレット１２ａ〜１２ｄの大容量記憶領域には、それらを使用する権限を有する出品者や落札者の個人情報、売買交渉仲介サーバ１４のＵＲＬが記憶（格納）されている。個人情報としては、パスワードやＩＤ番号、法人名、個人氏名、住所、電話番号、ＦＡＸ番号、年齢、性別、メールアドレス等がある。
【００４１】
売買交渉仲介サーバ１４およびデータ入力装置１５は、中央処理部（ＣＰＵまたはＭＰＵ）とメモリ（メインメモリおよびキャッシュメモリ）とを有して独立したオペレーティングシステム（ＯＳ）によって動作するコンピュータ（売買交渉仲介サーバ１４は仮想マシンを含む）であり、大容量記憶領域（大容量ハードディスク等）を実装している。売買交渉仲介サーバ１４やデータ入力装置１５には、キーボードやマウス等の入力装置、ディスプレイ３５やプリンター等の出力装置がインターフェイスを介して接続されている。
【００４２】
売買交渉仲介サーバ１４は、売買交渉仲介システム１０を提供（管理運営）するオークション開催者（事業法人）が契約するデータセンターに設置されている。なお、売買交渉仲介サーバ１４が売買交渉仲介システム１０を提供するオークション開催者のオークション会場２１の事務室（図示せず）に設置される場合もある。売買交渉仲介サーバ１４は、オークション会場２１において競りが行われる現物競り落とし型のオークションにおいて、それらタグ１６に設置されたＩＣチップ２２の固有識別子を管理することで、オークションに出品された時計２３（競売商品）や競り落とされた（落札された）時計２３を管理しつつ、出品者と落札者２４との間における売買を仲介する。売買交渉仲介サーバ１０の大容量記憶領域には、競売商品データベース、商品情報データベースが作成されている。
【００４３】
売買交渉仲介サーバ１４は、ＤＮＳサーバ機能、データベースサーバ機能、Ｗｅｂサーバ機能、メールサーバ機能、ドキュメントサーバ機能の各種サーバ機能を有し、インターネット１３に接続された各種複数のＤＮＳサーバ等を経由しつつ、インターネット１３を利用してアクセス制限がない不特定多数のサーバや携帯通信端末（スマートフォンやタブレット等）にアクセスかつログインすることができるとともに、不特定多数のサーバや携帯通信端末にオークションに関する各種のデータを送信することができる。
【００４４】
売買交渉仲介サーバ１４の大容量記憶領域には、各出品者のスマートフォン１１ａ，１１ｂやタブレット１２ａ，１２ｂのＵＲＬ、各出品者のメールアドレス、各出品者の個人情報が携帯端末特定情報（携帯端末特定識別子）に関連付けられた状態で記憶（格納）されている。売買交渉仲介サーバ１４の大容量記憶領域には、各落札者２４（バイヤー）のスマートフォン１１ｃ，１１ｄやタブレット１２ｃ，１２ｄのＵＲＬ、各落札者２４のメールアドレス、各落札者２４の個人情報が携帯端末特定情報（携帯端末特定識別子）に関連付けられた状態で記憶（格納）されている。
【００４５】
データ入力装置１５（パソコン）は、オークション会場２１またはオークション会場２１の事務室に設置され、インターフェイス（有線または無線）（図示せず）を介して売買交渉仲介サーバ１４に接続されている。データ入力装置１５は、オークション会場２１における競りの最中にオークション開催者（進行係２５、競売人２６、復唱係２７）が発声した時計２３（競売商品）の競売商品特定詞と時計２３（落札商品）を落札した落札者特定詞と落札された時計２３（落札商品）の落札価格詞とを売買交渉仲介サーバ１４に入力する。
【００４６】
それらタグ１６（荷札）は、競りにかけられる前の各種複数の時計２３（競売商品）に個別に取り付けられる。それらタグ１６には、図５に示すように、ＩＣチップ２２が設置固定されている。ＩＣタグリーダ１７は、チェックボックス１９に設置され、その制御部がインターフェイス（有線または無線）（図示せず）を介して売買交渉仲介サーバ１４に接続されている。ＩＣタグリーダ１７は、それらタグ１６に設置されたＩＣチップ２２の固有識別子を読み取り、読み取ったＩＣチップ２２の固有識別子を売買交渉仲介サーバ１４に送信する。ＩＣタグリーダ／ライタ１８は、その制御部がインターフェイス（有線または無線）（図示せず）を介して売買交渉仲介サーバ１４に接続されている。ＩＣタグリーダ／ライタ１８は、タグ１６に設置されたＩＣチップ２２に固有識別子を書き込む。
【００４７】
チェックボックス１９は、六面体の箱であり、ＩＣタグリーダ１７を設置した頂壁２８が旋回可能であり、頂部開口２９を開閉することができる。チェックボックス１９は、オークション会場２１の事務室に設置されている。チェックボックス１９では、頂壁２８を上方へ旋回させることで頂部開口２９を開放することができ、頂部開口２９を開放した状態から頂壁２８を下方へ旋回させることで、頂部開口２９を閉鎖することができる。チェックボックス１９の前壁３０には、インターフェイス（有線または無線）（図示せず）を介して売買交渉仲介サーバ１４に接続されたディスプレイ３１（タッチパネル）が設置されている。チェックボックス１９は、頂壁２８を上方へ旋回させて頂部開口２９を開放した後、その内部に落札された複数個の時計２３（競売商品）を入れた郵送箱３４（検品ボックス）を収容する。ディスプレイ３１（タッチパネル）には、チェックボックス１９において検品された時計２３（競売商品）の検品結果が出力（表示）される。
【００４８】
ラベルプリンター２０は、タグ１６に貼付するラベルシール３３（ラベル）を作る。ラベルプリンター２０は、オークション会場２１に設置され、その制御部がインターフェイス（有線または無線）（図示せず）を介して売買交渉仲介サーバ１４に接続されている。ラベルプリンター２０は、売買交渉仲介サーバ１４の指令に基づいて時計２３（競売商品）の落札者名および時計２３の落札価格を表示したラベルシール３３を作成出力する。
【００４９】
図６は、オークション会場２１において競り（オークション）にかけられる時計２３（競売商品）を収容するエントリーボックス３３ａ〜３３ｅの一例を示す図であり、図７は、エントリー手続き後の時計２３（競売商品）を収容するエントリーボックス３３ａの一例を示す図である。図８は、タグ１６に貼付されるラベルシール３２（ラベル）の一例を示す図であり、図９は、競り落とされた時計２３（競売商品）を収容する郵送箱３４（検品ボックス）の一例を示す図である。以下の説明では、出品者や落札者２４（バイヤー）が操作する出品者通信端末や落札者通信端末を出品者のスマートフォン１１ａおよび落札者のスマートフォン１１ｃとする。
【００５０】
売買交渉仲介システム１０を利用したオークションでは、中古買取店（買取業者）や個人等のの出品者から出品されたオークションにかけられる各種複数の時計２３（競売商品）がオークション開催日の前日にオークション会場２１に搬入される。それら時計２３に取り付けられるタグ１６は、第１番〜第ｎ番までのタグ１６が一列に並べられた状態で管理保管されている。それらタグ１６には、第１番〜第ｎ番の番号が表示（印刷）されている。
【００５１】
競売開催者である事務係（競売補助者）は、売買交渉仲介サーバ１４に接続されたＩＣタグリーダ／ライタ１８を利用し、それらタグ１６に設置されたＩＣチップ２２に固有識別子（ＩＤ番号等のユニーク識別子）を書き込む。事務係は、第１番のタグ１６を取り出し、そのタグ１６に設置されたＩＣチップ２２をＩＣタグリーダ／ライタ１８にセットし、第１番のタグ１６に設置されたＩＣチップ２２に固有識別子を書き込む。この手順を繰り返し、第２番〜第ｎ番のタグ１６に設置されたＩＣチップ２２に固有識別子（ＩＤ番号等のユニーク識別子）を順次書き込む。それらタグ１６のＩＣチップ２２に書き込まれた固有識別子は、ＩＣタグリーダ／ライタ１８から売買交渉仲介サーバ１４に送信される。
【００５２】
売買交渉仲介サーバ１４は、ＩＣタグリーダ／ライタ１８から送信された固有識別子をＩＣチップ２２（タグ１６）を特定するＩＣチップ特定識別子（ＩＣチップ２２の個体識別子や独自に生成したユニークな識別子）に関連付けた状態で大容量記憶領域に記憶（格納）する。なお、ＩＣチップ２２に書き込まれた固有識別子（ＩＤ番号等のユニーク識別子）は、連番として売買交渉仲介サーバ１４の大容量記憶領域に記憶（格納）される。ＩＣチップ２２に固有識別子が書き込まれた第１番〜第ｎ番のタグ１６は、一列に並べられた状態で再び管理保管される。
【００５３】
次に、事務係（競売補助者）は、オークション会場２１に搬入された競り（オークション）にかけられる前の各時計２３（競売商品）の商品データをデータ入力装置１５（パソコン）から売買交渉仲介サーバ１４に入力する。時計２３（競売商品）の商品データには、各時計２３（競売商品）の出品者（個人の出品者の出品者名や買取店の名称）、各時計２３（競売商品）の商品名（機種名や販売店名を含む）、各時計２３（競売商品）の製造年月日、各時計２３（競売商品）の製造メーカー、各時計２３（競売商品）の画像（画像（写真）はデジタルカメラで撮影した後、データ入力装置１５に入力される）、各時計２３（競売商品）の入札価格、各時計２３（競売商品）が落札された場合は各時計２３を落札した落札者、各時計２３（競売商品）の落札価格が含まれる。なお、商品データには、それらの他に、出品者や時計２３（競売商品）に関するあらゆるデータが含まれる。
【００５４】
出品された各時計２３（競売商品）の商品データ入力手続きの一例は、以下のとおりである。事務係（競売補助者）は、データ入力装置１５を売買交渉仲介サーバ１４にログインさせる。データ入力装置１５が売買交渉仲介サーバ１４にログインすると、図示はしていないが、データ入力装置１５に接続されたディスプレイ３５にデータ入力画面が出力（表示）される。データ入力画面には、エントリー入力ボタン、商品データ入力ボタン、バイヤー登録ボタン、オークションデータ入力ボタン、選択時間入力ボタン、売買交渉データ送信ボタン、落札（売買成立）商品明細出力ボタン、閉じるボタンが出力（表示）される。閉じるボタンをクリックすると、データ入力装置１５が売買交渉仲介サーバ１４からログアウトし、データ入力画面１５のディスプレイ３５に待ち受け画面が表示される（以下の閉じるボタンも同様）。
【００５５】
事務係が商品データ入力ボタンをクリックすると、データ入力装置１５に接続されたディスプレイ３５に商品データ入力画面（図示せず）が出力（表示）される。商品データ入力画面には、各時計２３（競売商品）の出品者（個人の出品者の出品者名や買取店の名称）を入力する出品者入力エリア、各時計２３（競売商品）の商品名（機種名や販売店名を含む）を入力する商品名入力エリア、各時計２３（競売商品）の製造年月日を入力する製造年月日入力エリア、各時計２３（競売商品）の製造メーカーを入力する製造メーカー入力エリア、各時計２３（競売商品）の画像（写真）を入力する時計画像入力エリア、各時計２３（競売商品）の入札価格を入力する入札価格入力エリア、入力ボタン、クリアボタン、戻るボタン、閉じるボタンが出力（表示）される。クリアボタンをクリックすると、各入力エリアに入力されたデータがクリア（消去）され、再度入力エリアにデータを入力する（以下のクリアボタンも同様）。戻るボタンをクリックすると、１つ前の画面に戻る（以下の戻るボタンも同様）。
【００５６】
事務係は、出品者入力エリアに時計２３（競売商品）の出品者名を入力し、商品名入力エリアに時計２３（競売商品）の商品名を入力し、製造年月日入力エリアに時計２３（競売商品）の製造年月日を入力する。製造メーカー入力エリアに時計２３（競売商品）の製造メーカーを入力し、時計画像入力エリアに時計２３（競売商品）の画像（写真）を入力し、入札価格入力エリアに時計２３（競売商品）の入札価格を入力する。出品者名や商品名、製造年月日、製造メーカー、入札希望価格は、それらを記載したエントリー用紙が出品者から競売開催者に事前に提出されている。それら入力エリアに各データを入力した後、事務係は、入力ボタンをクリックする。入力ボタンをクリックすると、各入力エリアに入力された商品データがデータ入力装置１５から売買交渉仲介サーバ１４に送信される。
【００５７】
データ入力装置１５から売買交渉仲介サーバ１４に送信（入力）された時計２３（競売商品）の商品データ（商品データ入力日時を含む）は、ＩＣチップ２２の固有識別子および後記するそれら時計２３を個別に特定する時計特定番号（競売商品特定データ）に関連付けられた状態で売買交渉仲介サーバ１４の大容量記憶領域の商品情報データベースに記憶（格納）される（商品データ記憶手段）。商品データの入力後（格納後）には、各時計２３毎（各競売商品毎）に対応するタグ１６が各時計２３に取り付けられる。売買交渉仲介サーバ１４は、商品データを商品情報データベースに記憶した後、データ入力装置１５のディスプレイ３５にデータ入力画面を出力（表示）する。
【００５８】
商品データの入力時またはタグ１６の取付時には、各時計２３（各競売商品）を特定する時計特定番号（競売商品特定データ）がそれら時計２３に設定される。時計特定番号は、特定のタグ１６のＩＣチップ２２に書き込まれた固有識別子に関連付けられた状態で売買交渉仲介サーバ１４の大容量記憶領域の競売商品データベースに記憶（格納）される（競売商品特定データ記憶手段）。時計特定番号には、エントリーナンバーが利用されている。なお、時計特定番号としてエントリーナンバーの他に、売買交渉仲介サーバ１４やデータ入力装置１５が独自に生成したユニークな識別子またはあらかじめ決定した連番等を使用することもできる。
【００５９】
エントリーナンバーの一例は、例えば、Ａ中古買取店が時計２３を個出品する場合、図６に示すように、Ａ中古買取店用の３個の第１〜第３エントリーボックス３３ａ〜３３ｃを用意し、Ｂ中古買取店が時計２３を１５個出品する場合、Ｂ中古買取店用の２個の第４および第５エントリーボックス３３ｄ，３３ｅを用意する。各エントリーボックス３３ａ〜３３ｅは時計２３の１０個を一単位とし、最大１０個の時計２３が各エントリーボックス３３ａ〜３３ｅに収容される。なお、エントリーボックス３３ａ〜３３ｅに収容する時計２３の個数に特に制限はない。
【００６０】
Ａ中古買取店用の第１エントリーボックス３３ａには、Ａ中古買取店から出品された１０個の時計２３が収容される。第１エントリーボックス３３ａに収容された時計２３には、エントリーナンバーの１−１〜１−１０の時計特定番号（競売商品特定データ）が付与（設定）される。Ａ中古買取店用の第２エントリーボックス３３ｂには、Ａ中古買取店から出品された次の１０個の時計２３が収容される。第２エントリーボックス３３ｂに収容された時計２３には、エントリーナンバーの２−１〜２−１０の時計特定番号（競売商品特定データ）が付与（設定）される。Ａ中古買取店用の第３エントリーボックス３３ｃには、Ａ中古買取店から出品された次の３個の時計２３が収容される。第３エントリーボックス３３ｃに収容された時計２３には、エントリーナンバーの３−１〜３−３の時計特定番号（競売商品特定データ）が付与（設定）される。
【００６１】
Ｂ中古買取店用の第４エントリーボックス３３ｄには、Ｂ中古買取店から出品された１０個の時計２３が収容される。第４エントリーボックス３３ｄに収容された時計２３には、エントリーナンバーの４−１〜４−１０の時計特定番号（競売商品特定データ）が付与（設定）される。Ｂ中古買取店用の第５エントリーボックス３３ｅには、Ｂ中古買取店から出品された次の５個の時計２３が収容される。第５エントリーボックス３３ｅに収容された時計２３には、エントリーナンバーの５−１〜５−５の時計特定番号（競売商品特定データ）が付与（設定）される。
【００６２】
事務係（競売補助者）は、出品された各時計２３（各競売商品）のエントリー（登録）を行う。出品された各時計２３のエントリー手続き（エントリーナンバー入力手続き）の一例は、以下のとおりである。事務係は、データ入力装置１５のディスプレイ３５に出力（表示）されたデータ入力画面のエントリー入力ボタンをクリックする。エントリー入力ボタンをクリックすると、データ入力装置のディスプレイ３５にエントリー画面（図示せず）が出力（表示）される。エントリー画面には、エントリー開始ボタン、データ入力画面に戻るボタン、閉じるボタンが出力（表示）される。
【００６３】
事務係は、エントリー開始ボタンをクリックし、各時計２３（各競売商品）のエントリーを開始する。エントリー開始ボタンをクリックすると、データ入力装置１５に接続されたディスプレイ３５にエントリーナンバー入力画面（図示せず）が出力（表示）される。エントリーナンバー入力画面には、エントリーナンバー入力エリア（競売商品特定データ入力エリア）、決定ボタン、クリアボタン、データ入力画面に戻るボタン、閉じるボタンが出力（表示）される。
【００６４】
事務係は、Ａ中古買取店用の第１エントリーボックス３３ａから最初に１個の時計２３を取り出し、その時計２３の時計特定番号（競売商品特定データ）の１−１をエントリーナンバー入力画面のエントリーナンバー入力エリアに入力する。エントリーナンバー入力エリアに時計特定番号（競売商品特定データ）１−１を入力した後、事務係は、決定ボタンをクリックする。決定ボタンをクリックすると、エントリーナンバー入力エリアに入力された時計特定番号（競売商品特定データ）１−１がデータ入力装置１５から売買交渉仲介サーバ１４に送信される。時計特定番号（競売商品特定データ）１−１がデータ入力装置１５から売買交渉仲介サーバ１４に送信（入力）されると、売買交渉仲介サーバ１４は、データ入力装置１５に接続されたディスプレイ３５に時計特定番号（エントリーナンバー）１−１を出力（表示）するとともに、タグ番号１およびＩＣチップ２２に書き込まれた固有識別子（ユニーク識別子）、設定ボタン、戻るボタン、閉じるボタンを出力（表示）する。
【００６５】
事務係が設定ボタンをクリックすると、エントリーナンバーである時計特定番号（競売商品特定データ）１−１がＩＣチップ２２の固有識別子（ユニーク識別子）に関連付けられた状態で売買交渉仲介サーバ１４の大容量記憶領域の競売商品データベースに記憶（格納）され（競売商品特定データ記憶手段）、データ入力装置１５に接続されたディスプレイ３５にエントリーＯＫメッセージと確認ボタンとが表示される。事務係は、ディスプレイ３５に表示された確認ボタンをクリックし、第１番のタグ１６を取り出し、その第１番のタグ１６を時計２３に取り付けた後、図７に示すように、第１番のタグ１６を取り付けた時計２３を第１エントリーボックス３３ａに収容する。確認ボタンをクリックすると、データ入力装置１５のディスプレイ３５にエントリーナンバー入力画面が再び出力（表示）される。
【００６６】
事務係は、Ａ中古買取店用の第１エントリーボックス３３ａからタグ１６を付けていない次の１個の時計２３を取り出し、その時計２３の時計特定番号（競売商品特定データ）の１−２をエントリーナンバー入力画面のエントリーナンバー入力エリアに入力する。エントリーナンバー入力エリアに時計特定番号（競売商品特定データ）１−２を入力した後、事務係が決定ボタンをクリックすると、エントリーナンバー入力エリアに入力された時計特定番号（競売商品特定データ）１−２がデータ入力装置１５から売買交渉仲介サーバ１４に送信される。時計特定番号（競売商品特定データ）１−２がデータ入力装置１５から売買交渉仲介サーバ１４に送信（入力）されると、売買交渉仲介サーバ１４は、データ入力装置１５に接続されたディスプレイ３５に時計特定番号（エントリーナンバー）１−２を出力（表示）するとともに、タグ番号２およびＩＣチップ２２に書き込まれた固有識別子（ユニーク識別子）、設定ボタン、戻るボタン、閉じるボタンを出力（表示）する。
【００６７】
事務係が設定ボタンをクリックすると、エントリーナンバーである時計特定番号（競売商品特定データ）１−２がＩＣチップ２２の固有識別子（ユニーク識別子）に関連付けられた状態で売買交渉仲介サーバ１４の大容量記憶領域の競売商品データベースに記憶（格納）され（競売商品特定データ記憶手段）、データ入力装置１５に接続されたディスプレイ３５にエントリーＯＫメッセージと確認ボタンとが表示される。事務係は、ディスプレイ３５に表示された確認ボタンをクリックし、第２番のタグ１６を取り出し、その第２番のタグ１６を時計２３（競売商品）に取り付けた後、第２番のタグ１６を取り付けた時計２３を第１エントリーボックス３３ａに収容する。確認ボタンをクリックすると、データ入力装置１５のディスプレイ３５にエントリーナンバー入力画面が再び出力（表示）される。事務係は、既述の手順によってＡ中古買取店およびＢ中古買取店から出品されたすべての時計２３（競売商品）を売買交渉仲介サーバ１４にエントリー（登録）する。
【００６８】
事務係（競売補助者）は、オークションに参加する落札者２４（バイヤー）のバイヤーデータをデータ入力装置１５から売買交渉仲介サーバ１４に入力（登録）する。落札者２４（バイヤー）のバイヤーデータには、登録する落札者２４（バイヤー）の落札者名（バイヤー名）、落札者コード（バイヤーコード）、落札者住所（バイヤー住所）、落札者連絡先（電話番号やメールアドレス等のバイヤー連絡先）がある。なお、バイヤーデータには、それらの他に、落札者２４（バイヤー）に関するあらゆるデータが含まれる。
【００６９】
落札者２４（バイヤー）の登録（エントリー）手続きの一例は、以下のとおりである。事務係は、データ入力装置１５のディスプレイ３５に出力（表示）されたデータ入力画面のバイヤー登録ボタンをクリックする。バイヤー登録ボタンをクリックすると、データ入力装置１５に接続されたディスプレイ３５にバイヤー入力画面（図示せず）が出力（表示）される。バイヤー入力画面には、落札者２４（バイヤー）の落札者名（バイヤー名）を入力するバイヤー名入力エリア、落札者コード（バイヤーコード）を入力するバイヤーコード入力エリア、落札者住所（バイヤー住所）を入力するバイヤー住所入力エリア、落札者連絡先（バイヤー連絡先）を入力するバイヤー連絡先入力エリア、登録ボタン、クリアボタン、データ入力画面に戻るボタン、閉じるボタンが出力（表示）される。
【００７０】
事務係は、バイヤー名入力エリアに落札者名（バイヤー名）を入力し、バイヤーコード入力エリアに落札者コード（バイヤーコード）を入力し、バイヤー住所入力エリアに落札者住所（バイヤー住所）を入力するとともに、バイヤー連絡先入力エリアに落札者連絡先（バイヤー連絡先）を入力する。事務係は、それら入力エリアにデータを入力した後、登録ボタンをクリックする。登録ボタンをクリックすると、落札者２４（バイヤー）のそれらデータ（登録年月日を含む）が落札者コード（バイヤーコード）に関連付けられた状態で売買交渉仲介サーバ１４の大容量記憶領域に記憶（格納）される（バイヤー登録手段）。落札者名（バイヤー名）や落札者コード（バイヤーコード）、落札者住所（バイヤー住所）、落札者連絡先（バイヤー連絡先）は、それらを記載したバイヤー登録用紙が落札者２４（バイヤー）から競売開催者に事前に提出されている。売買交渉仲介サーバ１４は、バイヤーデータを大容量記憶領域に記憶した後、データ入力装置１５のディスプレイ３５にデータ入力画面を出力（表示）する。
【００７１】
競り（オークション）に参加する落札者２４（バイヤー）（販売業者）は、自己が保有・操作するスマートフォン１１ｃから売買交渉仲介サーバ１４のＵＲＬを利用して売買交渉仲介サーバ１４にアクセスかつログインし、エントリー済みの時計２３（競売商品）の商品データを閲覧することができる。商品データの閲覧手順の一例として、落札者２４（バイヤー）のスマートフォン１１ｃが売買交渉仲介サーバ１４にログインすると、スマートフォン１１ｃのタッチパネルにオークション閲覧画面（図示せず）が表示される。
【００７２】
オークション閲覧画面には、オークションに時計２３を出品する各中古買取店の検索ボタン、売買交渉ボタン、閉じるボタンが出力（表示）される。落札者２４（バイヤー）が検索ボタンをタップすると、スマートフォン１１ｃのタッチパネルに検索画面が出力（表示）される。検索画面において例えばＡ中古買取店を検索すると、Ａ中古買取店が出品（エントリー）した各時計２３の商品データの一覧がスマートフォン１１ｃのタッチパネルに出力（表示）される。落札者２４（バイヤー）が時計２３の商品データの一覧から特定の時計２３の商品データを選択すると、選択した時計２３の商品データがスマートフォン１１ｃのタッチパネルに出力（表示）される（競売商品データ出力手段）。
【００７３】
落札者２４（バイヤー）は、選択した時計２３の商品データをスマートフォン１１ｃのタッチパネルから確認することができる。落札者２４（バイヤー）は、各時計２３の商品データを見ることで、各時計２３（競売商品）の出品者（Ａ中古買取店）、各時計２３（競売商品）の商品名（機種名や販売店名を含む）、各時計２３（競売商品）の製造年月日、各時計２３（競売商品）の製造メーカー、各時計２３（競売商品）の画像（写真）、各時計２３（競売商品）の入札価格を確認することができ、特定の時計２３（競売商品）の落札価格決定の参考にすることができる。
【００７４】
売買交渉仲介システム１０は、各時計２３（競売商品）の出品者、各時計２３（競売商品）の商品名、各時計２３（競売商品）の製造年月日、各時計２３（競売商品）の製造メーカー、各時計２３（競売商品）の画像（写真）、各時計２３（競売商品）の入札価格がＩＣチップ２２の固有識別子に関連付けられた状態で売買交渉仲介サーバ１４に記憶されているから、オークション会場２１において競りが行われる現物競り落とし型のオークションにおいて、時計２３（競売商品）の商品データを容易に管理することができる。
【００７５】
時計２３（競売商品）を出品した出品者は、自己が保有・操作するスマートフォン１１ａから売買交渉仲介サーバ１４のＵＲＬを利用して売買交渉仲介サーバ１４にアクセスかつログインし、エントリー済みの落札者２４（バイヤー）を閲覧することができる。落札者２４（バイヤー）の閲覧手順の一例として、出品者のスマートフォン１１ａが売買交渉仲介サーバ１４にログインすると、スマートフォン１１ａのタッチパネルにオークション閲覧画面（図示せず）が表示される。オークション閲覧画面には、オークションに参加する落札者２４（バイヤー）の検索ボタン、売買交渉ボタン、閉じるボタンが出力（表示）される。出品者が検索ボタンをタップすると、スマートフォン１１ａのタッチパネルに検索画面が出力（表示）される。検索画面において所定の落札者２４（バイヤー）を検索すると、その落札者２４のデータがスマートフォン１１ａのタッチパネルに出力（表示）される。
【００７６】
オークション開催日には、タグ１６を取り付けた時計２３（競売商品）を収容した第１〜第ｎエントリーボックスがオークション会場２１に運ばれ、オークション開始時間にオークション会場２１においてエントリーボックスに収容された時計２３の競り（オークション）が開始される。なお、オークション会場２１には、各落札者２４用（各バイヤー用）の複数の郵送箱３４（検品ボックス）が用意されている。また、売買交渉仲介サーバ１４やデータ入力装置１５が稼働している。事務係は、データ入力装置１５のディスプレイ３５に表示されたデータ入力画面のオークションデータ入力ボタンをクリックする。
【００７７】
事務係がオークションデータ入力ボタンをクリックすると、データ入力装置１５に接続されたディスプレイ３５にオークションデータ入力画面（図示せず）が出力（表示）される。オークションデータ入力画面には、時計特定詞入力エリア（競売商品特定詞入力エリア）、落札者特定詞入力エリア、落札価格詞入力エリア、時計特定詞送信ボタン（競売商品特定詞送信ボタン）、落札者特定詞・落札価格詞送信ボタン、クリアボタン、戻るボタン、閉じるボタンが表示される。
【００７８】
オークション会場２１における時計２３（競売商品）の競り（オークション）では、進行係２５が第１エントリーボックス３３ａに収容された時計特定番号（競売商品特定データ）１−１の時計２３（第１番のタグ１６を取り付けた時計２３）を第１エントリーボックス３３ａから取り出し、その時計２３をオークション会場２１に設置されたオークションテーブル３６の上に置くとともに、進行係２５がその時計２３の時計特定詞（競売商品特定詞）（１−１という言葉）を発声する。
【００７９】
進行係２５は、図２に示すように、その声を拾うマイク３７を付けている。マイク３７は、インターフェイス（有線または無線）（図示せず）を介して売買交渉仲介サーバ１４に接続されている。進行係２５が発声した時計特定詞（競売商品特定詞）（１−１）は、進行係２５の声を拾うマイク３７に音声データとして入力される。音声データとしてマイク３７に入力された時計特定詞（競売商品特定詞）（１−１）は、マイク３７から売買交渉仲介サーバ１４に送信され、売買交渉仲介サーバ１４に入力される（詞入力手段）。詞入力手段では、進行係２５が発声した時計特定詞（競売商品特定詞）（１−１）が時計特定番号（競売商品特定データ）（１−１）としてマイク３７から売買交渉仲介サーバ１４に入力される。
【００８０】
進行係２５が発声した時計特定詞（競売商品特定詞）（１−１）は、マイク３７から事務係（競売補助者）に付けられたヘッドフォン（スピーカー）（図示せず）に出力（発音）される。事務係は、ヘッドフォンに出力された時計特定詞（競売商品特定詞）（１−１）をデータ入力装置１５のディスプレイ３５に表示された時計特定詞入力エリア（競売商品特定詞入力エリア）に入力した後、時計特定詞送信ボタン（競売商品特定詞送信ボタン）をクリックする。
【００８１】
事務係が時計特定詞送信ボタン（競売商品特定詞送信ボタン）をクリックすると、時計特定詞入力エリア（競売商品特定詞入力エリア）に入力された時計特定詞（競売商品特定詞）（１−１）がデータ入力装置１５から売買交渉仲介サーバ１４に送信される。進行係２５が発声した時計特定詞（競売商品特定詞）（１−１）は、データ入力装置１５から売買交渉仲介サーバ１４に入力される（詞入力手段）。詞入力手段では、進行係２５が発声した時計特定詞（競売商品特定詞）（１−１）が時計特定番号（競売商品特定データ）（１−１）としてデータ入力装置１５から売買交渉仲介サーバ１４に入力される。
【００８２】
売買交渉仲介サーバ１４は、マイク３７やデータ入力装置１５から入力された時計特定詞（競売商品特定詞）（１−１）を時計特定番号（競売商品特定データ）（１−１）として認識し、その時計特定番号（競売商品特定データ）（１−１）に対応する第１番のタグ１６に設置されたＩＣチップ２２の固有識別子（ユニーク識別子）を大容量記憶領域の競売商品データベースから抽出し、時計特定番号（競売商品特定データ）（１−１）とＩＣチップ２２の固有識別子とをキャッシュメモリに一時的に記憶（格納）する。
【００８３】
進行係２５が時計２３（競売商品）の時計特定詞（競売商品特定詞）（１−１）を発声してその時計２３をオークションテーブル３６に置いた後、競売人２６（オークショニア）が司会となった競り（オークション）が開始される。それら落札者２４（バイヤー）が第１番のタグ１６を取り付けた時計２３（競売商品）の競売価格を次々に提示し、競売人２６が音頭を取りながら競売価格をつり上げて行く。オークションテーブル３６に置かれた第１番のタグ１６の時計２３（競売商品）に対してそれら落札者２４（バイヤー）が相互に値段を競り合い、最も高値を付けた落札者２４（バイヤー）がその時計２３を競り落とす。
【００８４】
競り（オークション）が成立すると、復唱係２７（オーム）は、競売人２６が発声した落札者特定詞（時計を落札した落札者名の言葉）および落札価格詞（時計の落札価格の言葉）を復唱する。復唱係２７は、第１番のタグ１６を取り付けた時計特定詞（競売商品特定詞）（１−１）の時計２３（落札商品）を落札した落札者特定詞（落札者名の言葉）と落札された時計２３（落札商品）の落札価格（落札価格の言葉）とを発声する。
【００８５】
復唱係２７が発声した落札者特定詞および落札価格詞は、復唱係２７の声を拾うマイク３７に音声データとして入力される。音声データとしてマイク３７に入力された第１番のタグ１６の時計２３の落札者特定詞と落札価格詞とは、マイク３７から売買交渉仲介サーバ１４に送信され、売買交渉仲介サーバ１４に入力される（詞入力手段）。詞入力手段では、復唱係２７が発声した落札者特定詞が落札者特定データとしてマイク３７から売買交渉仲介サーバ１４に入力され、復唱係２７が発声した落札価格詞が落札価格データとしてマイク３７から売買交渉仲介サーバ１４に入力される。
【００８６】
復唱係２７が発声した落札者特定詞と落札価格詞とは、マイク３７から事務係（競売補助者）に付けられたヘッドフォン（スピーカー）に出力（発音）される。事務係は、ヘッドフォンに出力された第１番のタグ１６の時計２３（落札商品）の落札者特定詞をデータ入力装置１５のディスプレイ３５に表示された落札者特定詞入力エリアに入力し、落札価格詞をデータ入力装置１５のディスプレイ３５に表示された落札価格詞入力エリアに入力した後、落札者特定詞・落札価格詞送信ボタンをクリックする。
【００８７】
事務係が落札者特定詞・落札価格詞送信ボタンをクリックすると、落札者特定詞入力エリアに入力された落札者特定詞と落札価格詞入力エリアに入力された落札価格詞とがデータ入力装置１５から売買交渉仲介サーバ１４に送信される。復唱係２７が発声した第１番のタグ１６の時計２３（落札商品）の落札者特定詞および落札価格詞は、データ入力装置１５から売買交渉仲介サーバ１４に入力される（詞入力手段）。詞入力手段では、復唱係２７が発声した落札者特定詞が落札者特定データとしてデータ入力装置１５から売買交渉仲介サーバ１４に入力され、復唱係が発声した落札価格詞が落札価格データとしてデータ入力装置１５から売買交渉仲介サーバ１４に入力される。
【００８８】
売買交渉仲介サーバ１４は、マイク３７やデータ入力装置１５から入力された第１番のタグ１６の時計２３（落札商品）の落札者特定詞を落札者特定データとして認識する。売買交渉仲介サーバ１４は、キャッシュメモリに一時的に記憶（格納）した時計特定番号（競売商品特定データ）（１−１）およびＩＣチップ２２の固有識別子から時計特定番号（競売商品特定データ）（１−１）に対応するＩＣチップ２２の固有識別子を特定し、マイク３７やデータ入力装置１５から入力された時計２３（落札商品）の落札者２４（バイヤー）を特定する落札者特定データを第１番のタグ１６に設置されたＩＣチップ２２の固有識別子（ユニーク識別子）（バイヤーコードを含む）に関連付けた状態で大容量記憶領域の競売商品データベースに記憶（格納）する（落札者特定データ記憶手段）。時計特定番号（競売商品特定データ）（１−１）がＩＣチップ２２の固有識別子に関連付けられているから、落札者特定データが落札された第１番のタグ１６を取り付けた時計２３（落札商品）に対応する。
【００８９】
売買交渉仲介サーバ１４は、マイク３７やデータ入力装置１５から入力された第１番のタグ１６の時計２３（落札商品）の落札価格詞を落札価格データとして認識する。売買交渉仲介サーバ１４は、キャッシュメモリに一時的に記憶（格納）した時計特定番号（競売商品特定データ）（１−１）およびＩＣチップ２２の固有識別子から時計特定番号（競売商品特定データ）（１−１）に対応するＩＣチップ２２の固有識別子を特定し、マイク３７やデータ入力装置１５から入力された時計２３（落札商品）の落札価格を特定する落札価格データを第１番のタグ１６に設置されたＩＣチップ２２の固有識別子（ユニーク識別子）（バイヤーコードを含む）に関連付けた状態で大容量記憶領域の競売商品データベースに記憶（格納）する（落札価格データ記憶手段）。
【００９０】
時計特定番号（競売商品特定データ）（１−１）がＩＣチップ２２の固有識別子に関連付けられているから、落札価格データが落札された第１番のタグ１６を取り付けた時計２３（落札商品）に対応する。落札者特定データおよび落札価格データを記憶した後、売買交渉仲介サーバ１４は、時計特定番号（競売商品特定データ）（１−１）およびＩＣチップ２２の固有識別子をキャッシュメモリから消去する。
【００９１】
売買交渉仲介サーバ１４は、詞入力手段によって競売商品特定データと落札者特定データと落札価格データとがマイク３７やデータ入力装置１５から入力され、落札者特定データや落札価格データを記憶した後、落札者特定データに対応する落札者名をバイヤーデータから抽出し、第１番のタグ１６を取り付けた時計特定番号（競売商品特定データ）（１−１）の時計２３の落札者特定データの落札者名および落札価格データの落札価格を表示したラベルシール３２（ラベル）のラベル作成信号をラベルプリンター２０に送信する。
【００９２】
ラベルプリンター２０は、図８に示すように、売買交渉仲介サーバ１４から送信されたラベル作成信号にしたがって落札者名および落札価格並びに時計特定番号１−１を表示したラベルシール３２を作り、そのラベルシール３２を出力する（ラベル出力手段）。事務係は、ラベルプリンター２０から出力されたラベルシール３２を第１番のタグ１６に貼付する。第１番のタグ１６を取り付けた時計特定番号（競売商品特定データ）１−１の時計２３（落札商品）の競り（オークション）が終了した後（競りが成立した後）、進行係２５は、図９に示すように、その時計２３を競り落とした落札者２４（バイヤー）用の郵送箱３４（検品ボックス）に収容する。
【００９３】
売買交渉仲介サーバ１４は、ラベル作成信号をラベルプリンター２０に送信した後、データ入力装置１５のディスプレイ３５にデータ入力画面を出力（表示）する。事務係は、データ入力画面の選択時間入力ボタンをクリックする。選択時間入力ボタンをクリックすると、選択時間入力画面（図示せず）がデータ入力装置１５のディスプレイ３５に表示される。選択時間入力画面には、出品者選択時間入力エリア、落札者選択時間入力エリア、時間設定ボタン、クリアボタン、データ入力画面に戻るボタン、閉じるボタンが出力（表示）される。
【００９４】
事務係は、出品者選択時間入力エリアに出品者の選択時間を入力し、落札者選択時間入力エリアに落札者２４の選択時間を入力した後、時間設定ボタンをクリックする。時間設定ボタンをクリックすると、後記する出品者第１選択要求手段〜出品者第３選択要求手段における出品者の出品者選択時間（例えば、３０分や１時間、３時間、２４時間、３６時間等）が設定され（出品者選択時間設定手段）、後記する落札者第１選択要求手段〜落札者第２選択要求手段における落札者２４の落札者選択時間（例えば、３０分や１時間、３時間、２４時間、３６時間等）が設定される（落札者選択時間設定手段）。
【００９５】
売買交渉仲介サーバ１４は、出品者の選択時間を出品者名（出品者特定データ）、第１番のタグ１６に設置されたＩＣチップ２２の固有識別子（ユニーク識別子）、時計特定番号（競売商品特定データ）（１−１）に関連付けた状態で大容量記憶領域の競売商品データベースに記憶（格納）する（出品者選択時間記憶手段）。売買交渉仲介サーバ１４は、落札者２４の選択時間を落札者特定データ、第１番のタグ１６に設置されたＩＣチップ２２の固有識別子（ユニーク識別子）、時計特定番号（競売商品特定データ）（１−１）に関連付けた状態で大容量記憶領域の競売商品データベースに記憶（格納）する（落札者選択時間記憶手段）。売買交渉仲介サーバ１４は、出品者の選択時間や落札者２４の選択時間を記憶した後、データ入力装置１５のディスプレイ３５にデータ入力画面を出力（表示）する。
【００９６】
事務係が第１番のタグ１６を取り付けた時計２３（落札商品）を郵送箱３４（検品ボックス）に収容し、出品者の出品者選択時間や落札者２４の落札者選択時間を設定した後、進行係２５は、第１エントリーボックス３３ａに収容された時計特定番号（競売商品特定データ）１−２の時計２３（第２番のタグ１６を取り付けた時計）を第１エントリーボックス３３ａから取り出し、その時計２３をオークション会場２１に設置されたオークションテーブル３１の上に置くとともに、その時計２３（競売商品）の時計特定詞（競売商品特定詞）（１−２という言葉）を発声する。
【００９７】
進行係２５が発声した時計特定詞（競売商品特定詞）（１−２）は、進行係２５の声を拾うマイク３７に音声データとして入力される。音声データとしてマイク３７に入力された時計特定詞（競売商品特定詞）（１−２）は、マイク３７から売買交渉仲介サーバ１４に送信され、売買交渉仲介サーバ１４に入力される（詞入力手段）。詞入力手段では、進行係２５が発声した時計特定詞（競売商品特定詞）（１−２）が時計特定番号（競売商品特定データ）（１−２）としてマイク３７から売買交渉仲介サーバ１４に入力される。
【００９８】
進行係２５が発声した時計特定詞（競売商品特定詞）（１−２）は、マイク３７から事務係（競売補助者）に付けられたヘッドフォン（スピーカー）に出力（発音）される。事務係は、ヘッドフォンに出力された時計特定詞（競売商品特定詞）（１−２）をデータ入力装置１５のディスプレイ３５に表示された時計特定詞入力エリア（競売商品特定詞入力エリア）に入力した後、時計特定詞送信ボタン（競売商品特定詞送信ボタン）をクリックする。
【００９９】
事務係が時計特定詞送信ボタン（競売商品特定詞送信ボタン）をクリックすると、時計特定詞入力エリア（競売商品特定詞入力エリア）に入力された時計特定詞（競売商品特定詞）（１−２）がデータ入力装置１５から売買交渉仲介サーバ１４に送信される。進行係２５が発声した時計特定詞（競売商品特定詞）（１−２）は、データ入力装置１５から売買交渉仲介サーバ１４に入力される（詞入力手段）。詞入力手段では、進行係２５が発声した時計特定詞（競売商品特定詞）（１−２）が時計特定番号（競売商品特定データ）（１−２）としてデータ入力装置１５から売買交渉仲介サーバ１４に入力される。
【０１００】
売買交渉仲介サーバ１４は、マイク３７やデータ入力装置１５から入力された時計特定詞（競売商品特定詞）（１−２）を時計特定番号（競売商品特定データ）（１−２）として認識し、その時計特定番号（競売商品特定データ）（１−２）に対応する第２番のタグ１６に設置されたＩＣチップ２２の固有識別子（ユニーク識別子）を大容量記憶領域の競売商品データベースから抽出し、時計特定番号（競売商品特定データ）（１−２）とＩＣチップ２２の固有識別子とをキャッシュメモリに一時的に記憶（格納）する。
【０１０１】
進行係２５が時計２３（競売商品）の時計特定詞（競売商品特定詞）（１−２）を発声してその時計２３をオークションテーブル３６に置いた後、競売人２６（オークショニア）が司会となった競り（オークション）が開始される。それら落札者２４（バイヤー）が第２番のタグ１６を取り付けた時計２３（競売商品）の競売価格を次々に提示し、競売人２６が音頭を取りながら競売価格をつり上げて行く。オークションテーブル３６に置かれた第２番のタグ１６の時計２３（競売商品）に対してそれら落札者２４（バイヤー）が相互に値段を競り合い、最も高値を付けた落札者２４（バイヤー）がその時計２３を競り落とす。
【０１０２】
競り（オークション）が成立すると、復唱係２７（オーム）は、競売人２６が発声した落札者特定詞（落札者名の言葉）および落札価格詞（落札価格の言葉）を復唱する。復唱係２７は、第２番のタグ１６を取り付けた時計特定詞（競売商品特定詞）（１−２）の時計２３（落札商品）を落札した落札者特定詞（落札者名の言葉）と落札された時計２３（落札商品）の落札価格（落札価格の言葉）とを発声する。
【０１０３】
復唱係２７が発声した落札者特定詞および落札価格詞は、復唱係２７の声を拾うマイク３７に音声データとして入力される。音声データとしてマイク３７に入力された第２番のタグ１６の時計２３の落札者特定詞と落札価格詞とは、マイク３７から売買交渉仲介サーバ１４に送信され、売買交渉仲介サーバ１４に入力される（詞入力手段）。詞入力手段では、復唱係２７が発声した落札者特定詞が落札者特定データとしてマイク３７から売買交渉仲介サーバ１４に入力され、復唱係２７が発声した落札価格詞が落札価格データとしてマイク３７から売買交渉仲介サーバ１４に入力される。
【０１０４】
復唱係２７が発声した落札者特定詞と落札価格詞とは、マイク３７から事務係（競売補助者）に付けられたヘッドフォン（スピーカー）に出力（発音）される。事務係は、ヘッドフォンに出力された第２番のタグ１６の時計２３（落札商品）の落札者特定詞をデータ入力装置１５のディスプレイ３５に表示された落札者特定詞入力エリアに入力し、落札価格詞をデータ入力装置１５のディスプレイ３５に表示された落札価格詞入力エリアに入力した後、落札者特定詞・落札価格詞送信ボタンをクリックする。
【０１０５】
事務係が落札者特定詞・落札価格詞送信ボタンをクリックすると、落札者特定詞入力エリアに入力された落札者特定詞と落札価格詞入力エリアに入力された落札価格詞とがデータ入力装置１５から売買交渉仲介サーバ１４に送信される。復唱係２７が発声した第２番のタグ１６の時計２３（落札商品）の落札者特定詞および落札価格詞は、データ入力装置１５から売買交渉仲介サーバ１４に入力される（詞入力手段）。詞入力手段では、復唱係２７が発声した落札者特定詞が落札者特定データとしてデータ入力装置１５から売買交渉仲介サーバ１４に入力され、復唱係２７が発声した落札価格詞が落札価格データとしてデータ入力装置１５から売買交渉仲介サーバ１４に入力される。
【０１０６】
売買交渉仲介サーバ１４は、マイク３７やデータ入力装置１５から入力された第２番のタグ１６の時計２３（落札商品）の落札者特定詞を落札者特定データとして認識する。売買交渉仲介サーバ１４は、キャッシュメモリに一時的に記憶（格納）した時計特定番号（競売商品特定データ）（１−２）およびＩＣチップ２２の固有識別子から時計特定番号（競売商品特定データ）（１−２）に対応するＩＣチップ２２の固有識別子を特定し、マイク３７やデータ入力装置１５から入力された時計２３（落札商品）の落札者２４（バイヤー）を特定する落札者特定データを第２番のタグ１６に設置されたＩＣチップ２２の固有識別子（ユニーク識別子）に関連付けた状態で大容量記憶領域の競売商品データベースに記憶（格納）する（落札者特定データ記憶手段）。時計特定番号（競売商品特定データ）（１−２）がＩＣチップ２２の固有識別子に関連付けられているから、落札者特定データが落札された第２番のタグ１６を取り付けた時計２３（落札商品）に対応する。
【０１０７】
売買交渉仲介サーバ１４は、マイク３７やデータ入力装置１５から入力された第２番のタグ１６の時計２３（落札商品）の落札価格詞を落札価格データとして認識する。売買交渉仲介サーバ１４は、キャッシュメモリに一時的に記憶（格納）した時計特定番号（競売商品特定データ）（１−２）およびＩＣチップ２２の固有識別子から時計特定番号（競売商品特定データ）（１−２）に対応するＩＣチップ２２の固有識別子を特定し、マイク３７やデータ入力装置１５から入力された時計２３（落札商品）の落札価格を特定する落札価格データを第２番のタグ１６に設置されたＩＣチップ２２の固有識別子（ユニーク識別子）に関連付けた状態で大容量記憶領域の競売商品データベースに記憶（格納）する（落札価格データ記憶手段）。
【０１０８】
時計特定番号（競売商品特定データ）（１−２）がＩＣチップ２２の固有識別子に関連付けられているから、落札価格データが落札された第２番のタグ１６を取り付けた時計２３（落札商品）に対応する。落札者特定データおよび落札価格データを記憶した後、売買交渉仲介サーバ１４は、時計特定番号（競売商品特定データ）（１−２）およびＩＣチップ２２の固有識別子をキャッシュメモリから消去する。
【０１０９】
売買交渉仲介システム１０は、詞入力手段によって進行係２５が発声した時計特定詞（競売商品特定詞）と復唱係２７が発声した落札者特定詞と復唱係２７が発声した落札価格詞とを売買交渉仲介サーバ１４に入力し、売買交渉仲介サーバ１４が落札者特定詞を落札者特定データとしてＩＣチップ２２の固有識別子に関連付けた状態で記憶し、時計２３（落札商品）の落札価格詞を時計２３の落札価格データとしてＩＣチップ２２の固有識別子に関連付けた状態で記憶するとともに、時計特定詞（競売商品特定詞）を時計特定データ（競売商品特定データ）としてＩＣチップ２２の固有識別子に関連付けた状態で記憶することで、売買交渉仲介サーバ１４が時計特定詞（競売商品特定詞）によって時計２３（競売商品）を特定することができ、落札者特定詞によって落札者２４（バイヤー）を特定することができるとともに、落札価格詞によって時計２３の落札価格を特定することができる。
【０１１０】
売買交渉仲介サーバ１４は、詞入力手段によって競売商品特定データと落札者特定データと落札価格データとがマイク３７やデータ入力装置１５から入力され、落札者特定データや落札価格データを記憶した後、落札者特定データに対応する落札者名をバイヤーデータから抽出し、第２番のタグ１６を取り付けた時計特定番号（競売商品特定データ）（１−２）の時計２３の落札者特定データの落札者名および落札価格データの落札価格を表示したラベルシール３２（ラベル）のラベル作成信号をラベルプリンター２０に送信する。
【０１１１】
ラベルプリンター２０は、売買交渉仲介サーバ１４から送信されたラベル作成信号にしたがって落札者名および落札価格並びに時計特定番号１−２を表示したラベルシール３２を作り、そのラベルシール３２を出力する（ラベル出力手段）。事務係は、ラベルプリンター２０から出力されたラベルシール３２を第２番のタグ１６に貼付する。第２番のタグ１６を取り付けた時計特定番号（競売商品特定データ）１−２の時計２３（競売商品）の競り（オークション）が終了した後（競りが成立した後）、進行係２５は、その時計２３を競り落とした落札者２４（バイヤー）用の郵送箱３４（検品ボックス）に収容する。
【０１１２】
売買交渉仲介サーバ１４は、ラベル作成信号をラベルプリンター２０に送信した後、データ入力装置１５のディスプレイ３５にデータ入力画面を出力（表示）する。事務係は、データ入力画面の選択時間入力ボタンをクリックする。選択時間入力ボタンをクリックすると、選択時間入力画面（図示せず）がデータ入力装置１５のディスプレイ３５に表示される。選択時間入力画面には、出品者選択時間入力エリア、落札者選択時間入力エリア、時間設定ボタン、クリアボタン、データ入力画面に戻るボタン、閉じるボタンが出力（表示）される。事務係は、出品者選択時間入力エリアに出品者の選択時間を入力し、落札者選択時間入力エリアに落札者２４の選択時間を入力した後、時間設定ボタンをクリックする。時間設定ボタンをクリックすると、出品者第１選択要求手段〜出品者第３選択要求手段における出品者の出品者選択時間が設定され（出品者選択時間設定手段）、落札者第１選択要求手段〜落札者第２選択要求手段における落札者２４の落札者選択時間が設定される（落札者選択時間設定手段）。
【０１１３】
売買交渉仲介サーバ１４は、出品者の選択時間を出品者名（出品者特定データ）、第２番のタグ１６に設置されたＩＣチップ２２の固有識別子（ユニーク識別子）、時計特定番号（競売商品特定データ）（１−２）に関連付けた状態で大容量記憶領域の競売商品データベースに記憶（格納）する（出品者選択時間記憶手段）。売買交渉仲介サーバ１４は、落札者２４の選択時間を落札者特定データ、第２番のタグ１６に設置されたＩＣチップ２２の固有識別子（ユニーク識別子）、時計特定番号（競売商品特定データ）（１−２）に関連付けた状態で大容量記憶領域の競売商品データベースに記憶（格納）する（落札者選択時間記憶手段）。売買交渉仲介サーバ１４は、出品者の選択時間や落札者２４の選択時間を記憶した後、データ入力装置１５のディスプレイ３５にデータ入力画面を出力（表示）する。
【０１１４】
売買交渉仲介システム１０は、落札者特定データの落札者名および落札価格データの落札価格並びに時計特定番号（競売商品特定データ）が表示されたラベルシール３２をラベルプリンター２０から出力し、そのラベルシール３２をタグ１６に貼付することで、落札された時計２３（競売商品）に取り付けられたタグ１６を見ることで、落札者２４（バイヤー）や落札価格を知ることができ、タグ１６を利用することで、オークション会場２１において競りが行われる現物競り落とし型のオークションにおいて、落札された時計２３（落札商品）を容易に管理することができる。
【０１１５】
オークション会場２１では、第１番のタグ１６を取り付けた時計特定番号（競売商品特定データ）１−１の時計２３の競りおよび第２番のタグ１６を取り付けた時計特定番号（競売商品特定データ）１−２の時計２３の競りで説明した手順を繰り返し、すべての時計２３（競売商品）の競り（オークション）が終了する。すべての時計２３（競売商品）の競り（オークション）が終了した後、各落札者２４（各バイヤー）毎に仕分け（区分）された郵送箱３４（検品ボックス）を事務室に運ぶ。郵送箱３４（検品ボックス）には、競り落とされた複数の時計２３（競売商品）が収容されている。郵送箱３４（検品ボックス）に収容されたそれら時計２３（競売商品）には、ラベルシール３２が貼付されたタグ１６が取り付けられている。
【０１１６】
図１０は、データ入力装置１５のディスプレイ３５に出力（表示）された売買交渉第１経過画面の一例を示す図であり、図１１は、出品者のスマートフォン１１ａのタッチパネル３８に出力（表示）された出品者第１交渉画面の一例を示す図である。図１２は、落札者２４のスマートフォン１１ｃのタッチパネル３９に出力（表示）された落札者第１交渉画面の一例を示す図である。図１０〜図１２では、各表示エリアに表示されるデータの図示を省略している。
【０１１７】
競り（オークション）の途中またはすべての時計２３（競売商品）の競り（オークション）が終了した後、事務係は、データ入力画面の売買交渉データ送信ボタンをクリックする。売買交渉データ送信ボタンをクリックすると、データ入力装置１５のディスプレイ３５には、落札者（バイヤー）選択画面が出力（表示）される。落札者（バイヤー）選択画面には、落札者（バイヤー）選択ボタン、データ入力画面に戻るボタン、閉じるボタンが出力（表示）される。
【０１１８】
事務係が落札者（バイヤー）選択ボタンをクリックすると、データ入力装置１５のディスプレイ３５には、落札者（バイヤー）表示画面（図示せず）が表示される。落札者（バイヤー）表示画面には、時計２３（競売商品）を落札した落札者２４（バイヤー）を表示した落札者（バイヤー）一覧表示エリア、選択ボタン、データ入力画面に戻るボタン、閉じるボタンが出力（表示）される。事務係は、落札者（バイヤー）一覧表示エリアから所定の落札者２４（例えば、Ａ中古買取店やＢ中古買取店）を選択（反転）（複数選択可）し、選択ボタンをクリックする。選択ボタンをクリックすると、データ入力装置１５のディスプレイ３５には、落札時計表示画面（図示せず）が表示される。落札時計表示画面には、選択した落札者２３（バイヤー）が落札した時計（競売商品）一覧を表示した時計一覧表示エリア、売買交渉開始ボタン、戻るボタン、閉じるボタンが出力（表示）される。
【０１１９】
事務係は、時計一覧表示エリアから所定の時計２３（例えば、第１番のタグ１６を取り付けた時計特定番号（競売商品特定データ）（１−１）の時計２３や第２番のタグ１６を取り付けた時計特定番号（競売商品特定データ）（１−２）の時計２３）を選択（反転）（複数選択可）し、売買交渉開始ボタンをクリックする。売買交渉開始ボタンをクリックすると、データ入力装置１５のディスプレイ３５には、図１０に示す売買交渉第１経過画面が表示される。
【０１２０】
売買交渉第１経過画面には、選択された時計２３の入札価格を表示した入札価格表示エリア１０ａ、選択された時計２３の落札価格を表示した落札価格表示エリア１０ｂ、出品者名を表示した出品者名表示エリア１０ｃ、落札者名を表示した落札者名表示エリア１０ｄ、出品者の選択時間を表示した出品者選択時間表示エリア１０ｅ、落札者２４の選択時間を表示した落札者選択時間表示エリア１０ｆ、出品者の選択時間の残り時間を表示した出品者残り時間表示エリア１０ｇ、落札者２４の選択時間の残り時間を表示した落札者残り時間表示エリア１０ｈ、出品者売買交渉経過表示エリア１０ｉ、落札者売買交渉経過表示エリア１０ｊ、データ入力画面に戻るボタン１０ｋ、閉じるボタン１０ｌが出力（表示）される。出品者売買交渉経過表示エリア１０ｉには、落札価格承認エリア１０ｍ、落札者２４への交渉終了エリア１０ｎ、落札者２４へ第１回目交渉開始エリア１０ｏが表示される。落札者売買交渉経過表示エリア１０ｊには、第１買取希望価格承認エリア１０ｐ、出品者への交渉終了エリア１０ｑ、出品者へ第１回目交渉開始エリア１０ｒが表示される。
【０１２１】
データ入力装置１５において売買交渉開始ボタンがクリックされると、選択された時計２３（競売商品）の出品者のスマートフォン１１ａおよびその時計２４を落札した落札者２４のスマートフォン１１ｃのタッチパネル３８，３９に表示されたオークション閲覧画面の売買交渉ボタンが反転点滅する。出品者が反転点滅する売買交渉ボタンをタップすると、図１１に示す出品者第１交渉画面が出品者のスマートフォン１１ａのタッチパネル３８に出力（表示）されるとともに、売買交渉仲介サーバ１４が出品者選択時間（出品者残り時間）のカウントダウンを開始する。
【０１２２】
図１１の出品者第１交渉画面には、出品者（個人の出品者の出品者名や買取店の名称）を表示した出品者表示エリア１１ａ、落札者２４（落札者名（バイヤー名））を表示した落札者表示エリア１１ｂ、時計２３の画像を表示した時計画像表示エリア１１ｃ、時計２３の商品名（機種名や販売店名を含む）を表示した商品名表示エリア１１ｄ、時計２３の製造年月日を表示した製造年月日表示エリア１１ｅ、時計２３の製造メーカーを表示した製造メーカー表示エリア１１ｆ、時計２３の入札価格を表示した入札価格表示エリア１１ｇ、時計２３の落札価格を表示した落札価格表示エリア１１ｈ、出品者の選択時間を表示した出品者選択時間表示エリア１１ｉ、出品者の選択時間の残り時間を表示した出品者残り時間表示エリア１１ｊ、落札価格承認ボタン１１ｋ、落札者への交渉終了ボタン１１ｌ、落札者へ第１回目交渉開始ボタン１１ｍ、戻るボタン１１ｎ、閉じるボタン１１ｏが表示される。
【０１２３】
売買交渉仲介サーバ１４は、時計２３（競売商品）の落札価格をインターネット１３（ネットワーク）を介して出品者のスマートフォン１１ａ（出品者通信端末）に送信しつつ、スマートフォン１１ａのタッチパネル３８に出品者第１交渉画面を表示し、出品者のスマートフォン１１ａから出品者に落札価格承認、落札者への交渉終了、落札者へ第１回目交渉開始のいずれかの選択肢を選択させる（出品者第１選択要求手段）。出品者は、出品者選択時間（出品者残り時間）内に落札価格承認、落札者への交渉終了、落札者へ第１回目交渉開始のいずれかを選択する。
【０１２４】
出品者が落札価格承認ボタン１１ｋをタップすると、出品者と落札者２４との間で落札価格での時計２３の売買交渉が成立する。売買交渉仲介サーバ１４は、出品者名（出品者特定データ）、落札者名（落札者特定データ）、売買交渉成立データ（売買価格（落札価格）を含む）をタグ１６に設置されたＩＣチップ２２の固有識別子（ユニーク識別子）、時計特定番号（競売商品特定データ）に関連付けた状態で大容量記憶領域の競売商品データベースに記憶（格納）する（売買成立記憶手段、売買交渉経過第１記憶手段）。落札価格での売買が成立した場合、図示はしていないが、売買交渉仲介サーバ１４は、出品者および落札者２４のスマートフォン１１ａ，１１ｃのタッチパネル３８，３９に売買成立メッセージおよび売買価格（落札価格）を出力（表示）する（売買交渉経過第１出力手段）。図１０の売買交渉第１経過画面の出品者売買交渉経過表示エリア１０ｉの落札価格承認エリア１０ｍには、落札価格承認ＯＫおよび売買価格（落札価格）が表示される。
【０１２５】
出品者が落札者２４への交渉終了ボタン１１ｌをタップすると、売買交渉対象の時計２３の売買交渉が終了し、その時計２３が出品者に戻される。なお、出品者が選択時間（残り時間）内に落札価格承認や交渉終了、第１回目交渉開始のいずれかを選択しなかった場合、出品者が落札者２４への交渉終了を選択したものとする（出品者交渉終了決定手段）。売買交渉仲介サーバ１４は、出品者名（出品者特定データ）、落札者名（落札者特定データ）、売買不成立データをタグ１６に設置されたＩＣチップ２２の固有識別子（ユニーク識別子）、時計特定番号（競売商品特定データ）に関連付けた状態で大容量記憶領域の競売商品データベースに記憶（格納）する（売買不成立記憶手段、売買交渉経過第１記憶手段）。売買が不成立の場合、売買交渉仲介サーバ１４は、図示はしていないが、出品者および落札者２４のスマートフォン１１ａ，１１ｃのタッチパネル３８，３９に交渉終了（売買不成立）メッセージを出力（表示）する（売買交渉経過第１出力手段）。図１０の売買交渉第１経過画面の出品者売買交渉経過表示エリア１０ｉの落札者２４への交渉終了エリア１０ｎには、交渉終了メッセージが表示される。
【０１２６】
出品者が落札者２４へ第１回目交渉開始ボタン１１ｍをタップすると、第１回目交渉条件入力画面（図示せず）が出品者のスマートフォン１１ａのタッチパネル３８に出力（表示）される。第１回目交渉条件入力画面には、第１買取希望価格入力エリア、クリアボタン、第１買取希望価格送信ボタン、戻るボタン、閉じるボタンが表示される。出品者は、第１買取希望価格入力エリアに希望の第１買取希望価格を入力した後、第１買取希望価格送信ボタンをタップする。第１買取希望価格送信ボタンをタップすると、第１買取希望価格が売買交渉仲介サーバ１４を経由して落札者２４のスマートフォン１１ｃに送信される。
【０１２７】
売買交渉仲介サーバ１４は、第１買取希望価格をタグ１６に設置されたＩＣチップ２２の固有識別子（ユニーク識別子）、時計特定番号（競売商品特定データ）に関連付けた状態で大容量記憶領域の競売商品データベースに記憶（格納）する（第１買取希望価格記憶手段、売買交渉経過第１記憶手段）。売買交渉仲介サーバ１４は、出品者および落札者２４のスマートフォン１１ａ，１１ｃのタッチパネル３８，３９に第１買取希望価格を出力（表示）する（売買交渉経過第１出力手段）。図１０の売買交渉第１経過画面の出品者売買交渉経過表示エリア１０ｉの落札者２４へ第１回目交渉開始エリア１０ｏには、第１買取希望価格が表示される。
【０１２８】
落札者２４が反転点滅する売買交渉ボタンをタップすると、図１２に示す落札者第１交渉画面が落札者２４のスマートフォン１１ｃのタッチパネル３９に出力（表示）されるとともに、売買交渉仲介サーバ１４が落札者選択時間（落札者残り時間）のカウントダウンを開始する。図１２の落札者第１交渉画面には、落札者２４（落札者名（バイヤー名））を表示した落札者表示エリア１２ａ、出品者（個人の出品者の出品者名や買取店の名称）を表示した出品者表示エリア１２ｂ、時計２３の画像を表示した時計画像表示エリア１２ｃ、時計２３の商品名（機種名や販売店名を含む）を表示した商品名表示エリア１２ｄ、時計２３の製造年月日を表示した製造年月日表示エリア１２ｅ、時計２３の製造メーカーを表示した製造メーカー表示エリア１２ｆ、時計２３の入札価格を表示した入札価格表示エリア１２ｇ、時計２３の落札価格を表示した落札価格表示エリア１２ｈ、第１買取希望価格を表示した第１買取希望価格表示エリア１２ｉ、落札者２４の選択時間を表示した落札者選択時間表示エリア１２ｊ、落札者２４の選択時間の残り時間を表示した落札者残り時間表示エリア１２ｋ、第１買取希望価格承認ボタン１２ｌ、出品者への交渉終了ボタン１２ｍ、出品者へ第１回目交渉開始ボタン１２ｎ、戻るボタン１２ｏ、閉じるボタン１２ｐが表示される。
【０１２９】
売買交渉仲介サーバ１４は、出品者のスマートフォン１１ａ（出品者通信端末）から受信した時計２３（競売商品）の第１買取希望価格をインターネット１３（ネットワーク）を介して落札者２４のスマートフォン１１ｃ（落札者通信端末）に送信しつつ、スマートフォン１１ｃのタッチパネル３９に落札者第１交渉画面を表示し、落札者２４のスマートフォン１１ｃから第１買取希望価格承認、出品者への交渉終了、出品者へ第１回目交渉開始のいずれかの選択肢を選択させる（落札者第１選択要求手段）。落札者２４は、落札者選択時間（落札者残り時間）内に第１買取希望価格承認、出品者への交渉終了、出品者へ第１回目交渉開始のいずれかを選択する。
【０１３０】
落札者２４が第１買取希望価格承認ボタン１２ｌをタップすると、出品者と落札者２４との間で第１買取希望価格での時計２３の売買交渉が成立する。売買交渉仲介サーバ１４は、出品者名（出品者特定データ）、落札者名（落札者特定データ）、売買交渉成立データ（売買価格（第１買取希望価格）を含む）をタグ１６に設置されたＩＣチップ２２の固有識別子（ユニーク識別子）、時計特定番号（競売商品特定データ）に関連付けた状態で大容量記憶領域の競売商品データベースに記憶（格納）する（売買成立記憶手段、売買交渉経過第１記憶手段）。第１買取希望価格での売買が成立した場合、売買交渉仲介サーバ１４は、図示はしていないが、出品者および落札者２４のスマートフォン１１ａ，１１ｃのタッチパネル３８，３９に売買成立メッセージおよび売買価格（第１買取希望価格）を出力（表示）する（売買交渉経過第１出力手段）。図１０の売買交渉第１経過画面の落札者売買交渉経過表示エリア１０ｊの第１買取希望価格承認エリア１０ｐには、第１買取希望価格承認ＯＫおよび第１買取希望価格が表示される。
【０１３１】
落札者２４が出品者への交渉終了ボタン１２ｍをタップすると、売買交渉対象の時計２３の売買交渉が終了し、その時計２３が出品者に戻される。なお、落札者２４が選択時間（残り時間）内に第１買取希望価格承認、出品者への交渉終了、出品者へ第１回目交渉開始のいずれかを選択しなかった場合、落札者２４が出品者への交渉終了を選択したものとする（落札者交渉終了決定手段）。売買交渉仲介サーバ１４は、出品者名（出品者特定データ）、落札者名（落札者特定データ）、売買不成立データをタグ１６に設置されたＩＣチップ２２の固有識別子（ユニーク識別子）、時計特定番号（競売商品特定データ）に関連付けた状態で大容量記憶領域の競売商品データベースに記憶（格納）する（売買不成立記憶手段、売買交渉経過第１記憶手段）。売買が不成立の場合、売買交渉仲介サーバ１４は、図示はしていないが、出品者および落札者２４のスマートフォン１１ａ，１１ｃのタッチパネル３８，３９に交渉終了（売買不成立）メッセージを出力（表示）する（売買交渉経過第１出力手段）。図１０の売買交渉第１経過画面の落札者売買交渉経過表示エリア１０ｊの出品者への交渉終了エリア１０ｑには、交渉終了メッセージが表示される。
【０１３２】
売買交渉仲介システム１０は、事務係（競売補助者）が電話を利用して出品者と落札者２４との間で行われる売買交渉を仲介する必要はなく、オークション会場２１において競りが行われる現物競り落とし型のオークションにおいて、多数の人手や多大な労力、多大な労働時間を必要とせず、時計２３（競売商品）を出品した出品者の買取希望価格と時計２３（競売商品を落札した落札者の落札価格との差額の中で行われる売買交渉を仲介することができる。
【０１３３】
売買交渉仲介システム１０は、出品者がスマートフォン１１ａ（出品者通信端末）を利用して落札価格承認、落札者２４への交渉終了、落札者２４へ第１回目交渉開始のいずれかを選択し、落札者２４がスマートフォン１１ｃ（落札者通信端末）を利用して第１買取希望価格承認、出品者への交渉終了、出品者へ第１回目交渉開始のいずれかを選択すればよく、出品者や落札者２４の電話による売買交渉を省くことができ、出品者や落札者２４の労力を省きつつ、出品者と落札者２４との間で行われる売買交渉を円滑に仲介することができる。
【０１３４】
売買交渉仲介システム１０は、スマートフォン１１ａ（出品者通信端末）やスマートフォン１１ｂ（落札者通信端末）に出力された出品者第１選択要求手段において選択された選択肢、第１買取希望価格、落札者第１選択要求手段において選択された選択肢を出品者や落札者２４が見ることで、時計２３（競売商品）の売買交渉の経過を確認することができ、事務係（競売補助者）が電話を利用して出品者と落札者２４とに売買交渉の経過を伝える手間と時間とを省きつつ、出品者と落札者２４との間で行われる売買交渉を円滑に仲介することができる。
【０１３５】
売買交渉仲介システム１０は、出品者第１選択要求手段において選択された選択肢、第１買取希望価格、落札者第１選択要求手段において選択された選択肢が時計２３（競売商品）を個別に特定する時計特定データ（競売商品特定データ）に関連付けられた状態で売買交渉仲介サーバ１４に記憶されているから、オークション会場２１において競りが行われる現物競り落とし型のオークションにおいて、売買交渉対象の時計２３（競売商品）とは異なる時計２３（競売商品）に対して売買交渉が行われるミスマッチの発生を防ぐことができ、売買交渉対象の時計２３の売買交渉を円滑に進めることができる。
【０１３６】
図１３は、データ入力装置１５のディスプレイ３５に出力（表示）された売買交渉第２経過画面の一例を示す図であり、図１４は、出品者のスマートフォン１１ａのタッチパネル３８に出力（表示）された出品者第２交渉画面の一例を示す図である。図１５は、落札者２４のスマートフォン１１ｃのタッチパネル３９に出力（表示）された落札者第２交渉画面の一例を示す図である。落札者２４が出品者へ第１回目交渉開始ボタン１２ｍをタップすると、第１回目交渉条件入力画面（図示せず）が落札者２４のスマートフォン１１ｃのタッチパネル３９に出力（表示）される。第１回目交渉条件入力画面には、第１交渉価格入力エリア、クリアボタン、第１交渉価格送信ボタン、戻るボタン、閉じるボタンが表示される。
【０１３７】
落札者２４は、第１交渉価格入力エリアに希望の第１交渉価格を入力した後、第１交渉価格送信ボタンをタップする。第１交渉価格送信ボタンをタップすると、第１交渉価格が売買交渉仲介サーバ１４を経由して出品者のスマートフォン１１ａに送信される。売買交渉仲介サーバ１４は、第１交渉価格をタグ１６に設置されたＩＣチップ２２の固有識別子（ユニーク識別子）、時計特定番号（競売商品特定データ）に関連付けた状態で大容量記憶領域の競売商品データベースに記憶（格納）する（第１交渉価格記憶手段、売買交渉経過第２記憶手段）。売買交渉仲介サーバ１４は、出品者および落札者２４のスマートフォン１１ａ，１１ｃのタッチパネル３８，３９に第１交渉価格を出力（表示）する（売買交渉経過第２出力手段）。売買交渉仲介サーバ１４は、出品者選択時間（出品者残り時間）のカウントダウンを開始する。
【０１３８】
データ入力装置１５のディスプレイ３５には、図１３に示す売買交渉第２経過画面が表示される。売買交渉第２経過画面には、選択された時計２３の入札価格を表示した入札価格表示エリア１３ａ、選択された時計２３の落札価格を表示した落札価格表示エリア１３ｂ、出品者名を表示した出品者名表示エリア１３ｃ、落札者名を表示した落札者名表示エリア１３ｄ、出品者の選択時間を表示した出品者選択時間表示エリア１３ｅ、落札者の選択時間を表示した落札者選択時間表示エリア１３ｆ、出品者の選択時間の残り時間を表示した出品者残り時間表示エリア１３ｇ、落札者の選択時間の残り時間を表示した落札者残り時間表示エリア１３ｈ、出品者売買交渉経過表示エリア１３ｉ、落札者売買交渉経過表示エリア１３ｊ、データ入力画面に戻るボタン１３ｋ、閉じるボタン１３ｌが出力（表示）される。
【０１３９】
出品者売買交渉経過表示エリア１３ｉには、落札価格承認エリア１３ｍ、落札者２４への交渉終了エリア１３ｎ、落札者２４へ第１回目交渉開始エリア１３ｏ、第１交渉価格承認エリア１３ｐ、落札者２４への交渉終了エリア１３ｑ、落札者２４へ第２回目交渉開始エリア１３ｒが表示される。落札者売買交渉経過表示エリア１３ｊには、第１買取希望価格承認エリア１３ｓ、出品者への交渉終了エリア１３ｔ、出品者へ第１回目交渉開始エリア１３ｕ、第２買取希望価格承認エリア１３ｖ、出品者への交渉終了エリア１３ｗ、出品者へ第２回目交渉開始エリア１３ｘが表示される。
【０１４０】
出品者のスマートフォン１１ａのタッチパネル３８には、図１４に示す出品者第２交渉画面が出力（表示）される。図１４の出品者第２交渉画面には、出品者（個人の出品者の出品者名や買取店の名称）を表示した出品者表示エリア１４ａ、落札者２４（落札者名（バイヤー名））を表示した落札者表示エリア１４ｂ、時計２３の画像を表示した時計画像表示エリア１４ｃ、時計２３の商品名（機種名や販売店名を含む）を表示した商品名表示エリア１４ｄ、時計２３の製造年月日を表示した製造年月日表示エリア１４ｅ、時計２３の製造メーカーを表示した製造メーカー表示エリア１４ｆ、時計２３の入札価格を表示した入札価格表示エリア１４ｇ、時計２３の落札価格を表示した落札価格表示エリア１４ｈ、出品者の選択時間を表示した出品者選択時間表示エリア１４ｉ、出品者の選択時間の残り時間を表示した出品者残り時間表示エリア１４ｊ、時計２３の第１買取希望価格を表示した第１買取希望価格表示エリア１４ｋ、時計２３の第１交渉価格を表示した第１交渉価格表示エリア１４ｌ、第１交渉価格承認ボタン１４ｍ、落札者２４への交渉終了ボタン１４ｎ、落札者１４へ第２回目交渉開始ボタン１４ｏ、戻るボタン１４ｐ、閉じるボタン１４ｑが表示される。
【０１４１】
売買交渉仲介サーバ１４は、時計２３（競売商品）の第１交渉価格をインターネット１３（ネットワーク）を介して出品者のスマートフォン１１ａ（出品者通信端末）に送信しつつ、スマートフォン１１ａのタッチパネル３８に出品者第２交渉画面を表示し、出品者のスマートフォン１１ａから出品者に第１交渉価格承認、落札者への交渉終了、落札者へ第２回目交渉開始のいずれかの選択肢を選択させる（出品者第２選択要求手段）。出品者は、出品者選択時間（出品者残り時間）内に第１交渉価格承認、落札者への交渉終了、落札者へ第２回目交渉開始のいずれかを選択する。
【０１４２】
出品者が第１交渉価格承認ボタン１４ｍをタップすると、出品者と落札者２４との間で第１交渉価格での時計２３の売買交渉が成立する。売買交渉仲介サーバ１４は、出品者名（出品者特定データ）、落札者名（落札者特定データ）、売買交渉成立データ（売買価格（第１交渉価格）を含む）をタグ１６に設置されたＩＣチップ２２の固有識別子（ユニーク識別子）、時計特定番号（競売商品特定データ）に関連付けた状態で大容量記憶領域の競売商品データベースに記憶（格納）する（売買成立記憶手段、売買交渉経過第２記憶手段）。第１交渉価格での売買が成立した場合、売買交渉仲介サーバ１４は、図示はしていないが、出品者および落札者２４のスマートフォン１１ａ，１１ｃのタッチパネル３８，３９に売買成立メッセージおよび売買価格（第１交渉価格）を出力（表示）する（売買交渉経過第２出力手段）。図１３の売買交渉第２経過画面の出品者売買交渉経過表示エリア１３ｉの第１交渉価格承認エリア１３ｐには、第１交渉価格承認ＯＫおよび売買価格（第１交渉価格）が表示される。
【０１４３】
出品者が落札者２４への交渉終了ボタン１４ｎをタップすると、売買交渉対象の時計２３の売買交渉が終了し、その時計２３が出品者に戻される。なお、出品者が選択時間（残り時間）内に第１交渉価格承認や交渉終了、第２回目交渉開始のいずれかを選択しなかった場合、出品者が落札者２４への交渉終了を選択したものとする（出品者交渉終了決定手段）。売買交渉仲介サーバ１４は、出品者名（出品者特定データ）、落札者名（落札者特定データ）、売買不成立データをタグ１６に設置されたＩＣチップ２２の固有識別子（ユニーク識別子）、時計特定番号（競売商品特定データ）に関連付けた状態で大容量記憶領域の競売商品データベースに記憶（格納）する（売買不成立記憶手段、売買交渉経過第２記憶手段）。売買が不成立の場合、売買交渉仲介サーバ１４は、図示はしていないが、出品者および落札者２４のスマートフォン１１ａ，１１ｃのタッチパネル３８，３９に交渉終了（売買不成立）メッセージを出力（表示）する（売買交渉経過第２出力手段）。図１３の売買交渉第２経過画面の出品者売買交渉経過表示エリア１３ｉの落札者２４への交渉終了エリア１３ｑには、交渉終了メッセージが表示される。
【０１４４】
出品者が落札者２４へ第２回目交渉開始ボタン１４ｏをタップすると、第２回目交渉条件入力画面（図示せず）が出品者のスマートフォン１１ａのタッチパネル３８に出力（表示）される。第２回目交渉条件入力画面には、第２買取希望価格入力エリア、クリアボタン、第２買取希望価格送信ボタン、戻るボタン、閉じるボタンが表示される。出品者は、第２買取希望価格入力エリアに希望の第２買取希望価格を入力した後、第２買取希望価格送信ボタンをタップする。第２買取希望価格送信ボタンをタップすると、第２買取希望価格が売買交渉仲介サーバ１４を経由して落札者２４のスマートフォン１１ｃに送信される。
【０１４５】
売買交渉仲介サーバ１４は、第２買取希望価格をタグ１６に設置されたＩＣチップ２２の固有識別子（ユニーク識別子）、時計特定番号（競売商品特定データ）に関連付けた状態で大容量記憶領域の競売商品データベースに記憶（格納）する（第２買取希望価格記憶手段、売買交渉経過第２記憶手段）。売買交渉仲介サーバ１４は、出品者および落札者２４のスマートフォン１１ａ，１１ｃのタッチパネル３８，３９に第２買取希望価格を出力（表示）するとともに（売買交渉経過第２出力手段）、落札者選択時間（落札者残り時間）のカウントダウンを開始する。図１３の売買交渉第２経過画面の出品者売買交渉経過表示エリア１３ｉの落札者２４へ第２回目交渉開始エリア１３ｒには、第２買取希望価格が表示される。
【０１４６】
落札者２４のスマートフォン１１ｃのタッチパネル３９には、図１５に示す落札者第２交渉画面が出力（表示）される。図１５の落札者第２交渉画面には、落札者２４（落札者名（バイヤー名））を表示した落札者表示エリア１５ａ、出品者（個人の出品者の出品者名や買取店の名称）を表示した出品者表示エリア１５ｂ、時計２３の画像を表示した時計画像表示エリア１５ｃ、時計２３の商品名（機種名や販売店名を含む）を表示した商品名表示エリア１５ｄ、時計２３の製造年月日を表示した製造年月日表示エリア１５ｅ、時計２３の製造メーカーを表示した製造メーカー表示エリア１５ｆ、時計２３の入札価格を表示した入札価格表示エリア１５ｇ、時計２３の落札価格を表示した落札価格表示エリア１５ｈ、第１買取希望価格を表示した第１買取希望価格表示エリア１５ｉ、第１交渉価格を表示した第１交渉価格表示エリア１５ｊ、第２買取希望価格を表示した第２買取希望価格表示エリア１５ｋ、落札者２４の選択時間を表示した落札者選択時間表示エリア１５ｌ、落札者２４の選択時間の残り時間を表示した落札者残り時間表示エリア１５ｍ、第２買取希望価格承認ボタン１５ｎ、出品者への交渉終了ボタン１５ｏ、出品者へ第２回目交渉開始ボタン１５ｐ、戻るボタン１５ｑ、閉じるボタン１５ｒが表示される。
【０１４７】
売買交渉仲介サーバ１４は、出品者のスマートフォン１１ａ（出品者通信端末）から受信した時計２３（競売商品）の第２買取希望価格をインターネット１３（ネットワーク）を介して落札者２４のスマートフォン１１ｃ（落札者通信端末）に送信しつつ、スマートフォン１１ｃのタッチパネル３９に落札者第２交渉画面を表示し、落札者２４のスマートフォン１１ｃから第２買取希望価格承認、出品者への交渉終了、出品者へ第２回目交渉開始のいずれかの選択肢を選択させる（落札者第２選択要求手段）。落札者は、落札者選択時間（落札者残り時間）内に第２買取希望価格承認、出品者への交渉終了、出品者へ第２回目交渉開始のいずれかを選択する。
【０１４８】
落札者２４が第２買取希望価格承認ボタン１５ｍをタップすると、出品者と落札者２４との間で第２買取希望価格での時計２３の売買交渉が成立する。売買交渉仲介サーバ１４は、出品者名（出品者特定データ）、落札者名（落札者特定データ）、売買交渉成立データ（売買価格（第２買取希望価格）を含む）をタグ１６に設置されたＩＣチップ２２の固有識別子（ユニーク識別子）、時計特定番号（競売商品特定データ）に関連付けた状態で大容量記憶領域の競売商品データベースに記憶（格納）する（売買成立記憶手段、売買交渉経過第２記憶手段）。第２買取希望価格での売買が成立した場合、売買交渉仲介サーバ１４は、図示はしていないが、出品者および落札者２４のスマートフォン１１ａ，１１ｃのタッチパネル３８，３９に売買成立メッセージおよび売買価格（第２買取希望価格）を出力（表示）する（売買交渉経過第１出力手段）。図１３の売買交渉第２経過画面の落札者売買交渉経過表示エリア１３ｊの第２買取希望価格承認エリア１３ｒには、第２買取希望価格承認ＯＫおよび第２買取希望価格が表示される。
【０１４９】
落札者２４が出品者への交渉終了ボタン１５ｏをタップすると、売買交渉対象の時計２３の売買交渉が終了し、その時計２３が出品者に戻される。なお、落札者２４が選択時間（残り時間）内に第２買取希望価格承認、出品者への交渉終了、出品者へ第２回目交渉開始のいずれかを選択しなかった場合、落札者２４が出品者への交渉終了を選択したものとする（落札者交渉終了決定手段）。売買交渉仲介サーバ１４は、出品者名（出品者特定データ）、落札者名（落札者特定データ）、売買不成立データをタグ１６に設置されたＩＣチップ２２の固有識別子（ユニーク識別子）、時計特定番号（競売商品特定データ）に関連付けた状態で大容量記憶領域の競売商品データベースに記憶（格納）する（売買不成立記憶手段、売買交渉経過第２記憶手段）。売買が不成立の場合、売買交渉仲介サーバ１４は、図示はしていないが、出品者および落札者２４のスマートフォン１１ａ，１１ｃのタッチパネル３８，３９に交渉終了（売買不成立）メッセージを出力（表示）する（売買交渉経過第２出力手段）。図１３の売買交渉第２経過画面の落札者売買交渉経過表示エリア１３ｊの出品者への交渉終了エリア１３ｗには、交渉終了メッセージが表示される。
【０１５０】
売買交渉仲介システム１０は、１度の売買交渉で売買が成立しなかった場合でも、出品者と落札者２４との間で再度の売買交渉を行うことができ、オークション会場２１において競りが行われる現物競り落とし型のオークションにおいて競り落とされた多くの時計２３（競売商品）の売買を成立させることができる。売買交渉仲介システム１０は、事務係（競売補助者）が電話を利用して出品者と落札者２４との間で行われる再度の売買交渉を仲介する必要はなく、オークション会場２１において競りが行われる現物競り落とし型のオークションにおいて、多数の人手や多大な労力、多大な労働時間を必要とせず、時計２３（競売商品）を出品した出品者の第１買取希望価格と時計２３（競売商品）を落札した落札者２４の第１交渉価格との差額の中で行われる売買交渉を仲介することができ、時計２３を落札した落札者２４の第１交渉価格と時計２３を出品した出品者の第２買取希望価格との差額の中で行われる売買交渉を仲介することができる。
【０１５１】
売買交渉仲介システム１０は、出品者がスマートフォン１１ａ（出品者通信端末）を利用して第１交渉価格承認、落札者２４への交渉終了、落札者２４へ第２回目交渉開始のいずれかを選択し、落札者２４がスマートフォン１１ｃ（落札者通信端末）を利用して第２買取希望価格承認、出品者への交渉終了、出品者へ第２回目交渉開始のいずれかを選択すればよく、出品者や落札者２４の電話による再度の売買交渉を省くことができ、出品者や落札者２４の労力を省きつつ、出品者と落札者２４との間で行われる再度の売買交渉を円滑に仲介することができる。
【０１５２】
売買交渉仲介システム１０は、スマートフォン１１ａ（出品者通信端末）やスマートフォン１１ｃ（落札者通信端末）に出力された第１交渉価格、出品者第２選択要求手段において選択された選択肢、第２買取希望価格、落札者第２選択要求手段において選択された選択肢を出品者や落札者２４が見ることで、時計２３（競売商品）の再度の売買交渉の経過を確認することができ、事務係（競売補助者）が電話を利用して出品者と落札者２４とに再度の売買交渉の経過を伝える手間と時間とを省きつつ、出品者と落札者２４との間で行われる再度の売買交渉を円滑に仲介することができる。
【０１５３】
売買交渉仲介システム１０は、第１交渉価格、出品者第２選択要求手段において選択された選択肢、第２買取希望価格、落札者第２選択要求手段において選択された選択肢が時計２３（競売商品）を個別に特定する競売商品特定データに関連付けられた状態で売買交渉仲介サーバ１４に記憶されているから、オークション会場２１において競りが行われる現物競り落とし型のオークションにおいて、売買交渉対象の時計２３（競売商品）とは異なる時計２３（競売商品）に対して再度の売買交渉が行われるミスマッチの発生を防ぐことができ、売買交渉対象の時計２３の再度の売買交渉を円滑に進めることができる。
【０１５４】
図１６は、データ入力装置１５のディスプレイ３５に出力（表示）された売買交渉第３経過画面の一例を示す図であり、図１７は、出品者のスマートフォン１１ａに出力（表示）された出品者第３交渉画面の一例を示す図である。図１８は、落札者２４のスマートフォン１１ｃに出力（表示）された落札者第３交渉画面の一例を示す図である。落札者２４が出品者へ第２回目交渉開始ボタン１５ｎをタップすると、第２回目交渉条件入力画面（図示せず）が落札者２４のスマートフォン１１ｃのタッチパネル３９に出力（表示）される。第２回目交渉条件入力画面には、第２交渉価格入力エリア、クリアボタン、第２交渉価格送信ボタン、戻るボタン、閉じるボタンが表示される。
【０１５５】
落札者２４は、第２交渉価格入力エリアに希望の第２交渉価格を入力した後、第２交渉価格送信ボタンをタップする。第２交渉価格送信ボタンをタップすると、第２交渉価格が売買交渉仲介サーバ１４を経由して出品者のスマートフォン１１ａに送信される。売買交渉仲介サーバ１４は、第２交渉価格をタグ１６に設置されたＩＣチップ２２の固有識別子（ユニーク識別子）、時計特定番号（競売商品特定データ）に関連付けた状態で大容量記憶領域の競売商品データベースに記憶（格納）する（第２交渉価格記憶手段、売買交渉経過第３記憶手段）。売買交渉仲介サーバ１４は、出品者および落札者２４のスマートフォン１１ａ，１１ｃのタッチパネル３８，３９に第２交渉価格を出力（表示）する（売買交渉経過第３出力手段）。売買交渉仲介サーバ１４は、出品者選択時間（出品者残り時間）のカウントダウンを開始する。
【０１５６】
データ入力装置１５のディスプレイ３５には、図１６に示す売買交渉第３経過画面が表示される。売買交渉第３経過画面には、選択された時計の入札価格を表示した入札価格表示エリア１６ａ、選択された時計の落札価格を表示した落札価格表示エリア１６ｂ、出品者名を表示した出品者名表示エリア１６ｃ、落札者名を表示した落札者名表示エリア１６ｄ、出品者の選択時間を表示した出品者選択時間表示エリア１６ｅ、落札者の選択時間を表示した落札者選択時間表示エリア１６ｆ、出品者の選択時間の残り時間を表示した出品者残り時間表示エリア１６ｇ、落札者の選択時間の残り時間を表示した落札者残り時間表示エリア１６ｈ、出品者売買交渉経過表示エリア１６ｉ、落札者売買交渉経過表示エリア１６ｊ、データ入力画面に戻るボタン１６ｋ、閉じるボタン１６ｌが出力（表示）される。
【０１５７】
出品者売買交渉経過表示エリア１６ｉには、落札価格承認エリア１６ｍ、落札者２４への交渉終了エリア１６ｎ、落札者２４へ第１回目交渉開始エリア１６ｏ、第１交渉価格承認エリア１６ｐ、落札者２４への交渉終了エリア１６ｑ、落札者２４へ第２回目交渉開始エリア１６ｒ、第２交渉価格承認エリア１６ｓ、落札者２４への交渉終了エリア１６ｔが表示される。落札者売買交渉経過表示エリア１６ｊには、第１買取希望価格承認エリア１６ｕ、出品者への交渉終了エリア１６ｖ、出品者へ第１回目交渉開始エリア１６ｗ、第２買取希望価格承認エリア１６ｘ、出品者への交渉終了エリア１６ｙ、出品者へ第２回目交渉開始エリア１６ｚが表示される。
【０１５８】
出品者のスマートフォン１１ａのタッチパネル３８には、図１７に示す出品者第３交渉画面が出力（表示）される。図１７の出品者第３交渉画面には、出品者（個人の出品者の出品者名や買取店の名称）を表示した出品者表示エリア１７ａ、落札者２４（落札者名（バイヤー名））を表示した落札者表示エリア１７ｂ、時計２３の画像を表示した時計画像表示エリア１７ｃ、時計２４の商品名（機種名や販売店名を含む）を表示した商品名表示エリア１７ｄ、時計２３の製造年月日を表示した製造年月日表示エリア１７ｅ、時計２３の製造メーカーを表示した製造メーカー表示エリア１７ｆ、時計２３の入札価格を表示した入札価格表示エリア１７ｇ、時計２３の落札価格を表示した落札価格表示エリア１７ｈ、出品者の選択時間を表示した出品者選択時間表示エリア１７ｉ、出品者の選択時間の残り時間を表示した出品者残り時間表示エリア１７ｊ、時計２３の第１買取希望価格を表示した第１買取希望価格表示エリア１７ｋ、時計２３の第１交渉価格を表示した第１交渉価格表示エリア１７ｌ、時計２３の第２買取希望価格を表示した第２買取希望価格表示エリア１７ｍ、時計２３の第２交渉価格を表示した第２交渉価格表示エリア１７ｎ、第２交渉価格承認ボタン１７ｏ、落札者２４への交渉終了ボタン１７ｐ、戻るボタン１７ｑ、閉じるボタン１７ｒが表示される。
【０１５９】
売買交渉仲介サーバ１４は、時計２３（競売商品）の第２交渉価格をインターネット１３（ネットワーク）を介して出品者のスマートフォン１１ａ（出品者通信端末）に送信しつつ、スマートフォン１１ａのタッチパネル３８に出品者第３交渉画面を表示し、出品者のスマートフォン１１ａから出品者に第２交渉価格承認、落札者２４への交渉終了のいずれかの選択肢を選択させる（出品者第３選択要求手段）。出品者は、出品者選択時間（出品者残り時間）内に第２交渉価格承認、落札者２４への交渉終了のいずれかを選択する。
【０１６０】
出品者が第２交渉価格承認ボタンをタップすると、出品者と落札者２４との間で第２交渉価格での時計２３の売買交渉が成立する。売買交渉仲介サーバ１４は、出品者名（出品者特定データ）、落札者名（落札者特定データ）、売買交渉成立データ（売買価格（第２交渉価格）を含む）をタグ１６に設置されたＩＣチップ２２の固有識別子（ユニーク識別子）、時計特定番号（競売商品特定データ）に関連付けた状態で大容量記憶領域の競売商品データベースに記憶（格納）する（売買成立記憶手段、売買交渉経過第３記憶手段）。第２交渉価格での売買が成立した場合、売買交渉仲介サーバ１４は、図示はしていないが、出品者および落札者２４のスマートフォン１１ａ，１１ｃのタッチパネル３８，２９に売買成立メッセージおよび売買価格（第２交渉価格）を出力（表示）する（売買交渉経過第３出力手段）。図１６の売買交渉第３経過画面の出品者売買交渉経過表示エリア１６ｉの第２交渉価格承認エリア１６ｓには、第２交渉価格承認ＯＫおよび売買価格（第２交渉価格）が表示される。
【０１６１】
出品者が落札者２４への交渉終了ボタン１７ｐをタップすると、売買交渉対象の時計２３の売買交渉が終了し、その時計２３が出品者に戻される。なお、出品者が選択時間（残り時間）内に第２交渉価格承認、交渉終了のいずれかを選択しなかった場合、出品者が落札者２４への交渉終了を選択したものとする（出品者交渉終了決定手段）。売買交渉仲介サーバ１４は、出品者名（出品者特定データ）、落札者名（落札者特定データ）、売買不成立データをタグ１６に設置されたＩＣチップ２２の固有識別子（ユニーク識別子）、時計特定番号（競売商品特定データ）に関連付けた状態で大容量記憶領域の競売商品データベースに記憶（格納）する（売買不成立記憶手段、売買交渉経過第３記憶手段）。売買が不成立の場合、売買交渉仲介サーバ１４は、図示はしていないが、出品者および落札者２４のスマートフォン１１ａ，１１ｃのタッチパネル３８，３９に交渉終了（売買不成立）メッセージを出力（表示）する（売買交渉経過第３出力手段）。図１６の売買交渉第３経過画面の出品者売買交渉経過表示エリア１６ｉの落札者２４への交渉終了エリア１６ｔには、交渉終了メッセージが表示される。
【０１６２】
落札者２４のスマートフォン１１ｃのタッチパネル３９には、図１８に示す落札者第３交渉画面が出力（表示）される。図１８の落札者第３交渉画面には、落札者２４（落札者名（バイヤー名））を表示した落札者表示エリア１８ａ、出品者  （個人の出品者の出品者名や買取店の名称）を表示した出品者表示エリア１８ｂ、時計２３の画像を表示した時計画像表示エリア１８ｃ、時計２３の商品名（機種名や販売店名を含む）を表示した商品名表示エリア１８ｄ、時計２３の製造年月日を表示した製造年月日表示エリア１８ｅ、時計２３の製造メーカーを表示した製造メーカー表示エリア１８ｆ、時計２３の入札価格を表示した入札価格表示エリア１８ｇ、時計２３の落札価格を表示した落札価格表示エリア１８ｈ、第１買取希望価格を表示した第１買取希望価格表示エリア１８ｉ、第１交渉価格を表示した第１交渉価格表示エリア１８ｊ、第２買取希望価格を表示した第２買取希望価格表示エリア１８ｋ、第２交渉価格を表示した第２交渉価格表示エリア１８ｌ、交渉結果表示エリア１８ｍ、戻るボタン１８ｎ、閉じるボタン１８ｏが表示される。交渉結果表示エリア１８ｎには、第２交渉価格承認ＯＫまたは交渉終了（売買不成立）メッセージのいずれかが表示される。事務係や出品者、落札者２４は、既述の手順ですべての時計２３の売買交渉を行う。
【０１６３】
売買交渉仲介システム１０は、２度の売買交渉で売買が成立しなかった場合でも、出品者と落札者２４との間で再々度の売買交渉を行うことができ、オークション会場２１において競りが行われる現物競り落とし型のオークションにおいて競り落とされた多くの時計２３（競売商品）の売買を成立させることができる。売買交渉仲介システム１０は、事務係（競売補助者）が電話を利用して出品者と落札者２４との間で行われる再々度の売買交渉を仲介する必要はなく、オークション会場２１において競りが行われる現物競り落とし型のオークションにおいて、多数の人手や多大な労力、多大な労働時間を必要とせず、時計２３（競売商品）を出品した出品者の第２買取希望価格と時計２３（競売商品）を落札した落札者２４の第２交渉価格との差額の中で行われる売買交渉を仲介することができる。
【０１６４】
売買交渉仲介システム１０は、出品者がスマートフォン１１ａ（出品者通信端末）を利用して第２交渉価格承認、落札者２４への交渉終了のいずれかを選択すればよく、出品者や落札者２４の電話による再々度の売買交渉を省くことができ、出品者や落札者２４の労力を省きつつ、出品者と落札者２４との間で行われる再々度の売買交渉を円滑に仲介することができる。
【０１６５】
売買交渉仲介システム１０は、スマートフォン１１ａ（出品者通信端末）やスマートフォン１１ｃ（落札者通信端末）に出力された第２交渉価格、出品者第３選択要求手段において選択された選択肢を出品者や落札者２４が見ることで、時計２３（競売商品）の再々度の売買交渉の経過を確認することができ、事務係（競売補助者）が電話を利用して出品者と落札者２４とに再々度の売買交渉の経過を伝える手間と時間とを省きつつ、出品者と落札者２４との間で行われる再々度の売買交渉を円滑に仲介することができる。
【０１６６】
売買交渉仲介システム１０は、第２交渉価格、出品者第３選択要求手段において選択された選択肢が時計２３（競売商品）を個別に特定する時計特定データ（競売商品特定データ）に関連付けられた状態で売買交渉仲介サーバ１４に記憶されているから、オークション会場２１において競りが行われる現物競り落とし型のオークションにおいて、売買交渉対象の時計２３（競売商品）とは異なる時計２３（競売商品）に対して再々度の売買交渉が行われるミスマッチの発生を防ぐことができ、売買交渉対象の時計２３の再々度の売買交渉を円滑に進めることができる。
【０１６７】
売買交渉仲介システム１０は、出品者第１選択要求手段〜出品者第３選択要求手段における出品者の出品者選択時間を設定し、落札者第１選択要求手段〜落札者第２選択要求手段における落札者２４の落札者選択時間を設定することで、出品者や落札者２４に最良な選択肢を選択する時間を与えることができ、出品者や落札者２４が出品者選択時間や落札者選択時間を利用して最良な選択肢を選択することができる。売買交渉仲介システム１０は、設定された出品者選択時間内に出品者が所定の選択をしなかった場合、出品者が落札者２４への交渉終了を選択したものとし、設定された落札者選択時間内に落札者２４が所定の選択をしなかった場合、落札者２４が出品者への交渉終了を選択したものとすることで、出品者第１選択要求手段〜出品者第３選択要求手段や落札者第１選択要求手段〜落札者第２選択要求手段において所定の選択肢の選択を促すことができ、出品者と落札者２４との間で行われる売買交渉を迅速に終了させることができる。
【０１６８】
売買交渉仲介システム１０は、出品者第１選択要求手段〜出品者第３選択要求手段における選択開始から出品者選択時間の終了までの残り時間をスマートフォン１１ａ（出品者通信端末）に出力し、落札者第１選択要求手段〜落札者第２選択要求手段における選択開始から落札者選択時間の終了までの残り時間をスマートフォン１１ｂ（落札者通信端末）に出力することで、出品者第１選択要求手段〜出品者第３選択要求手段や落札者第１選択要求手段〜落札者第２選択要求手段における残り時間を出品者と落札者２４とに知らせつつ、出品者第１選択要求手段〜出品者第３選択要求手段や落札者第１選択要求手段〜落札者第２選択要求手段において所定の選択肢の選択を促すことができ、出品者と落札者２４との間で行われる売買交渉を迅速に終了させることができる。
【０１６９】
すべての時計２３の出品者と落札者２４との間における売買交渉が終了した後、売買交渉が成立した時計２３を収容した各郵送箱３４（各検品ボックス）をチェックボックス１９に運ぶ。事務係（競売補助者）は、各郵送箱３４（各検品ボックス）をチェックボックス１９に運び、チェックボックス１９の頂壁２８を上方へ旋回させて頂部開口２９を開放し、チェックボックス１９の内部に郵送箱３４（検品ボックス）を収納し、頂壁２８を下方へ旋回させて頂部開口２９を閉鎖する。チェックボックス１９に収納される郵送箱３４（検品ボックス）は、例えば、落札者２４（バイヤー）がＡ落札者（Ａバイヤー）〜Ｘ落札者（Ｘバイヤー）であった場合、Ａ落札者（Ａバイヤー）用の郵送箱３４（検品ボックス）からＸ落札者（Ｘバイヤー）用の郵送箱３４（検品ボックス）を順にチェックボックス１９に収納する。
【０１７０】
事務係は、Ａ落札者（Ａバイヤー）用の郵送箱３４（検品ボックス）をチェックボックス１９に収納（収容）した後、チェックボックス１９のディスプレイ３１（タッチパネル）に表示されたチェック（検品）開始ボタンをクリック（タップ）する。チェック（検品）開始ボタンをクリック（タップ）すると、売買交渉仲介サーバ１４は、郵送箱３４（検品ボックス）の内部のそれら時計２３（競売商品）に取り付けられたタグ１６のＩＣチップ２２の固有識別子の読み取り信号をチェックボックス１９に設置されたＩＣタグリーダ１７に送信する。なお、チェックボックス１９を省き、ハンディータイプのＩＣタグリーダやＩＣタグリーダ／ライタを利用することもできる。
【０１７１】
タグ１６に設置されたＩＣチップ２２の固有識別子の読み取り信号を受信したＩＣタグリーダ１７（または、ハンディータイプのＩＣタグリーダやＩＣタグリーダ／ライタ）は、Ａ落札者（Ａバイヤー）（特定の落札者２４）用の郵送箱３４（検品ボックス）の内部に収納されたそれら時計２３（複数の競売商品）に取り付けられたタグ１６のＩＣチップ２２の固有識別子を読み取る（識別子読み取り手段）。ＩＣタグリーダ１７（または、ハンディータイプのＩＣタグリーダやＩＣタグリーダ／ライタ）は、読み取ったＩＣチップ２２の固有識別子を売買交渉仲介サーバ１４に送信する。識別子読み取り手段では、Ａ落札者（Ａバイヤー）（特定の落札者２４）によって落札された複数の時計２３（落札商品）すべてを収容したＡ落札者（Ａバイヤー）用の郵送箱３４（検品ボックス）をチェックボックス１９に収納し、チェックボックス１９に設置されたＩＣタグリーダ１７を利用してそれら時計２３（それら落札商品）のタグ１６に設置されたＩＣチップ２２の固有識別子を纏めて読み取る。
【０１７２】
売買交渉仲介システム１０は、オークション会場２１において競りが行われる現物競り落とし型のオークションにおいて、特定の落札者２４が落札した複数の時計２３（落札商品）に取り付けられたタグ１６のＩＣチップ２２の個別識別子をチェックボックス１９において一度に読み取ることができ、それら時計２３（落札商品）のタグ１６に設置されたＩＣチップ２２の個別識別子を各時計２３毎（各落札商品毎）に個別に読み取る手間を省くことができる。
【０１７３】
売買交渉仲介サーバ１４は、ＩＣタグリーダ１７（識別子読み取り手段）によって読み取られたＩＣチップ２２の固有識別子と落札者特定データ記憶手段によって記憶したＩＣチップ２２の固有識別子とを比較する（識別子比較手段）。売買交渉仲介サーバ１４は、識別子比較手段によってＩＣチップ２２の固有識別子を比較した結果、識別子読み取り手段によって読み取られた複数の時計２３（落札商品）のタグ１６に設置されたＩＣチップ２２の固有識別子のすべてが落札者特定データ記憶手段によって記憶した落札者特定データに関連付くそれらＩＣチップ２２の固有識別子に一致した場合、Ａ落札者（Ａバイヤー）用の郵送箱３４（検品ボックス）に収容されたすべての時計２３（落札商品）がＡ落札者（Ａバイヤー）（特定の落札者２４）によって落札（売買交渉成立）された時計２３（落札商品）であると判断し、Ａ落札者（Ａバイヤー）（特定の落札者２４）によって落札され、出品者との売買交渉が成立したＡ落札者（Ａバイヤー）用の郵送箱３４（検品ボックス）に収容された複数の時計２３（落札商品）の出荷を可とする（第１検品手段）。
【０１７４】
売買交渉仲介サーバ１４は、Ａ落札者（Ａバイヤー）用の郵送箱３４（検品ボックス）に収容されたすべての時計２３（落札商品）とＡ落札者（Ａバイヤー）（特定の落札者２４）によって落札（売買交渉成立）された時計２３（落札商品）とが一致したことを示すメッセージと、Ａ落札者（Ａバイヤー）用の郵送箱３４（検品ボックス）に収容された複数の時計２３（落札商品）の出荷可を示すメッセージと、確認ボタンとをチェックボックス１９のディスプレイ３１（タッチパネル）に出力（表示）する（図示せず）。事務係（競売補助者）は、確認ボタンをクリック（タップ）した後、チェックボックス１９の頂壁２８を上方へ旋回させて頂部開口２９を開放し、Ａ落札者（Ａバイヤー）用の郵送箱３４（検品ボックス）をチェックボックス１９の内部から取り出す。Ａ落札者（Ａバイヤー）用の郵送箱３４（検品ボックス）は、競売開催者からＡ落札者（Ａバイヤー）に郵送される。
【０１７５】
売買交渉仲介サーバ１４は、詞入力手段によって時計特定データ（競売商品特定データ）と落札者特定データと落札価格データとが入力されるとともに、第１検品手段によって落札された時計１７（競売商品）の出荷を可とした場合、Ａ落札者（Ａバイヤー）（特定の落札者３２）に落札されたそれら時計１７（競売商品）の落札（売買成立）商品明細（図示せず）を出力する（落札（売買成立）商品明細出力手段）。落札（売買成立）商品明細には、落札者特定データ（落札者名）、落札価格データ（落札価格）、商品データ（各時計２３（各競売商品）の出品者、各時計２３の商品名、各時計２３の製造年月日、各時計２３の製造メーカー、各時計２３の画像、各時計２３の入札価格、各時計２３の落札者、各時計２３の落札価格等）が表示される。
【０１７６】
なお、落札（売買成立）商品明細をオークションの後日に出力することができる。落札（売買成立）商品明細をオークションの後日に出力するには、入力装置１５のディスプレイ３５に表示されたデータ入力画面の落札（売買成立）商品明細出力ボタンをクリックする。落札（売買成立）商品明細出力ボタンをクリックすると、条件入力画面が入力装置１５のディスプレイ３５に出力（表示）される。条件入力画面には、日付入力エリア、落札者入力エリア（バイヤー入力エリア）、明細出力ボタン、クリアボタン、戻るボタン、キャンセルボタンが表示される。日付入力エリアにオークションが行われた日付を入力し、落札者入力エリア（バイヤー入力エリア）に所定の落札者２４（バイヤー）を入力した後、明細出力ボタンをクリックする。明細出力ボタンをクリックすると、売買交渉仲介サーバ１４は、入力された日付の入力された落札者２４（バイヤー）が落札した時計２３（競売商品）の落札（売買成立）商品明細を出力する（落札（売買成立）商品明細出力手段）。
【０１７７】
売買交渉仲介システム１０は、識別子読み取り手段によって読み取られた複数の時計２３（競売商品）のタグ１６に設置されたＩＣチップ２２の固有識別子のすべてが落札者特定データ記憶手段によって記憶した落札者特定データに関連付くそれらＩＣチップ２２の固有識別子に一致した場合、落札者特定データと落札価格データと商品データとを表示した落札（売買成立）商品明細を出力するから、競売開催者や出品者、落札者２４（バイヤー）が落札（売買成立）商品明細を見ることで、各時計２３（各競売商品）の出品者、各時計２３の商品名、各時計２３の製造年月日、各時計２３の製造メーカー、各時計２３の画像、各時計２３の入札価格、各時計２３の落札者、各時計２３の落札価格等を知ることができる。
【０１７８】
売買交渉仲介システム１０は、時計２３（競売商品）のそれら商品データ、時計２３の出品者、時計２３の入札価格、時計２３の落札者、時計２３の落札価格がＩＣチップ２２の固有識別子に関連付けられた状態で売買交渉仲介サーバ１４に記憶されているから、オークション会場２１において競りが行われる現物競り落とし型のオークションにおいて、時計２３（競売商品）を容易に管理することができ、時計２３とその商品データとのミスマッチの発生を防ぐことができる。
【０１７９】
Ａ落札者（Ａバイヤー）用の郵送箱３４（検品ボックス）のチェックボックス１９による検品が終了した後、事務係（競売補助者）は、Ｂ落札者（Ａバイヤー）用の郵送箱３４（検品ボックス）をチェックボックス１９に収納（収容）した後、チェックボックス１９のディスプレイ３１（タッチパネル）に表示されたチェック（検品）開始ボタンをクリック（タップ）し、既述の手順によってＢ落札者（Ａバイヤー）用の郵送箱３４（検品ボックス）に収容された時計２３（競売商品）の検品を行う。事務係は、Ａ落札者（Ａバイヤー）用の郵送箱３４（検品ボックス）〜Ｘ落札者（Ｘバイヤー）用の郵送箱３４（検品ボックス）のすべての郵送箱３４（検品ボックス）に収容された時計２３の検品を行う。
【０１８０】
売買交渉仲介サーバ１４は、識別子比較手段によってＩＣチップ２２の固有識別子を比較した結果、識別子読み取り手段によって読み取られた複数の時計２３（競売商品）のタグ１６に設置されたＩＣチップ２２の固有識別子のうちの少なくとも１つが落札者特定データ記憶手段によって記憶した落札者特定データに関連付くそれらＩＣチップ２２の固有識別子に一致しない場合、Ａ落札者（Ａバイヤー）用の郵送箱３４（検品ボックス）に収容された時計２３のうちの少なくとも１つの時計２３がＡ落札者（Ａバイヤー）（特定の落札者２４）によって落札（売買成立）された時計２３ではないと判断し、Ａ落札者（Ａバイヤー）（特定の落札者２４）によって落札され、出品者との売買交渉が成立したＡ落札者（Ａバイヤー）用の郵送箱３４（検品ボックス）に収容された複数の時計２３の出荷を不可とする（第２検品手段）。
【０１８１】
売買交渉仲介サーバ１４は、第２検品手段においてＡ落札者（Ａバイヤー）用の郵送箱３４（検品ボックス）に収容された時計２３（競売商品）の出荷を不可とした場合、不一致の固有識別子のＩＣチップ２２を有するタグ１６を取り付けた時計２３の不一致時計特定番号（不一致商品特定データ）をチェックボックス１９のディスプレイ３１（タッチパネル）に出力（表示）する（不一致商品特定データ出力手段）。
【０１８２】
不一致商品特定データ出力手段において売買交渉仲介サーバ１４は、Ａ落札者（Ａバイヤー）用の郵送箱３４（検品ボックス）に収容された時計２３（競売商品）とＡ落札者（Ａバイヤー）（特定の落札者２４）によって落札（売買成立）された時計２３とが一致しないことを示すメッセージと、Ａ落札者（Ａバイヤー）用の郵送箱３４（検品ボックス）に収容された複数の時計２３の出荷不可を示すメッセージと、不一致の固有識別子のＩＣチップ２２を有するタグ１６を取り付けた時計２３の不一致時計特定番号（不一致商品特定データ）（例えば、第２番のタグ１６を取り付けた不一致時計特定番号（不一致商品特定データ）１−２の時計２３）と、確認ボタンとをチェックボックス１９のディスプレイ３１（タッチパネル）に表示する（図示せず）。
【０１８３】
事務係（競売補助者）は、確認ボタンをクリック（タップ）した後、チェックボックス１９の頂壁２８を上方へ旋回させて頂部開口２９を開放し、Ａ落札者（Ａバイヤー）用の郵送箱３４（検品ボックス）をチェックボックス１９の内部から取り出す。事務係は、チェックボックス１９のディスプレイ３１（タッチパネル）に表示された不一致時計特定番号（不一致商品特定データ）（第２番のタグ１６を取り付けた不一致時計特定番号（不一致商品特定データ）１−２の時計２３）を確認し、Ａ落札者（Ａバイヤー）が落札（売買成立）していない不一致時計特定番号（不一致商品特定データ）の時計２３（競売商品）をＡ落札者（Ａバイヤー）用の郵送箱３４（検品ボックス）から取り出す。事務係は、落札者（Ａバイヤー）が落札していない不一致時計特定番号（不一致商品特定データ）の時計２３をＡ落札者（Ａバイヤー）用の郵送箱３４（検品ボックス）から取り出した後、Ａ落札者（Ａバイヤー）用の郵送箱３４（検品ボックス）を再びチェックボックス１９に収納（収容）し、検品を行う。
【０１８４】
売買交渉仲介システム１０は、売買交渉仲介サーバ１４が識別子比較手段によってＩＣチップ２２の固有識別子を比較した結果、識別子読み取り手段によって読み取られた複数の時計２３（競売商品）のタグ１６に設置されたＩＣチップ２２の固有識別子のすべてが落札者特定データ記憶手段によって記憶した落札者特定データに関連付くそれらＩＣチップ２２の固有識別子に一致した場合、落札（売買成立）された複数の時計２３の出荷を可とする第１検品手段と、識別子読み取り手段によって読み取られた複数の時計２３のタグ１６に設置されたＩＣチップ２２の固有識別子のうちの少なくとも１つが落札者特定データ記憶手段によって記憶した落札者特定データに関連付くそれらＩＣチップ２２の固有識別子に一致しない場合、落札された複数の時計２３の出荷を不可とする第２検品手段とを有するから、オークション会場２１において競りが行われる現物競り落とし型のオークションにおいて、特定の落札者２４（バイヤー）が落札した複数の時計２３がその落札者２４が落札したものか否かをそれら時計２３に取り付けられたタグ１６のＩＣチップ２２の固有識別子によって瞬時に判断することができ、各落札者２４による時計２３の確認作業の手間を省くことができるとともに、落札者２４が落札したそれら時計２３を真の落札者２４へ速やかに配送することができる。
【符号の説明】
【０１８５】
１０    売買交渉仲介システム
１１ａ〜１１ｄ  スマートフォン（出品者通信端末、落札者通信端末）
１２ａ〜１２ｄ  タブレット（出品者通信端末、落札者通信端末）
１３    インターネット
１４    売買交渉仲介サーバ
１５    データ入力装置（パソコン）
１６    タグ（荷札）
１７    ＩＣタグリーダ
１８    ＩＣタグリーダ／ライタ
１９    チェックボックス（検品ボックス）
２０    ラベルプリンター
２１    オークション会場
２２    ＩＣチップ
２３    時計（競売商品）
２４    落札者（バイヤー）
２５    進行係
２６    競売人（オークショニア）
２７    復唱係（オーム）
２８    頂壁
２９    頂部開口
３０    前壁
３１    ディスプレイ（タッチパネル）
３２    ラベルシール（ラベル）
３３    エントリーボックス
３３ａ〜３３ｅ  第１〜第５エントリーボックス
３４    郵送箱（検品ボックス）
３５    ディスプレイ
３６    オークションテーブル
３７    マイク
３８    タッチパネル
３９    タッチパネル
【図１】
2019219950.tif 000003
【図２】
2019219950.tif 000004
【図３】
2019219950.tif 000005
【図４】
2019219950.tif 000006
【図５】
2019219950.tif 000007
【図６】
2019219950.tif 000008
【図７】
2019219950.tif 000009
【図８】
2019219950.tif 000010
【図９】
2019219950.tif 000011
【図１０】
2019219950.tif 000012
【図１１】
2019219950.tif 000013
【図１２】
2019219950.tif 000014
【図１３】
2019219950.tif 000015
【図１４】
2019219950.tif 000016
【図１５】
2019219950.tif 000017
【図１６】
2019219950.tif 000018
【図１７】
2019219950.tif 000019
【図１８】
2019219950.tif 000020